(57)【要約】      （修正有）【課題】ユーザー通信装置と、ユーザー通信装置に提供するネットワークの間の通信リンク（例えば、レイヤ2リンク）の提供を要求するメッセージを、ユーザー通信装置から、受信するＵＥ−リレーにおけるシステムを提供する。【解決手段】通信ネットワーク１において、ＵＥ−リレー３Ｒは、受信したメッセージに応答して、ＵＥ−リレーから離れた基地局５Ｒへのユーザー通信装置３からの通信リンクを確立するために、そのコアネットワークと通信し、通信リンクを用いてユーザー通信装置と基地局との間でデータを中継する。【選択図】図１
2020162157.tif 000002
【特許請求の範囲】
【請求項１】
無線通信システムにおけるユーザー装置（ＵＥ）であって、前記ＵＥは、
第１インターフェイスを介して他のＵＥと通信し、第２インターフェイスを介して基地局と通信するように構成された通信手段を備え、
前記通信手段は、
近接ベースのサービス（ＰｒｏＳｅ）に関連した発見手順のための情報を含むシステム情報ブロック（ＳＩＢ）メッセージを受信し、
ＰｒｏＳｅに関連する発見メッセージを送信し、前記発見メッセージは、ＰｒｏＳｅレイヤ２グループＩＤおよびＰｒｏＳｅに関連するＩＤの少なくとも１つを含み、
前記ＰｒｏＳｅに関連するＩＤは、他のＵＥと直接通信するための識別子であり、
ＰｒｏＳｅレイヤ２グループＩＤは、ＵＥ間のグループ通信のための識別子であり、そして、
前記ＰｒｏＳｅ通信リンクを使用して、第１インターフェイスおよび第２インターフェイスを介して他のＵＥのためにデータを中継するように構成されている。
【請求項２】
無線通信システムにおけるユーザー装置（ＵＥ）であって、前記ＵＥは、
第１インターフェイスを介して他のＵＥと通信し、第２インターフェイスを介して基地局と通信するように構成された通信手段を備え、
前記通信手段は、
近接ベースのサービス（ＰｒｏＳｅ）に関連した発見手順のための情報を含むシステム情報ブロック（ＳＩＢ）メッセージを受信し、
ＰｒｏＳｅに関連する発見メッセージを送信し、前記発見メッセージは、ＰｒｏＳｅレイヤ２グループＩＤおよびＰｒｏＳｅに関連するＩＤの少なくとも１つを含み、
前記ＰｒｏＳｅに関連するＩＤは、他のＵＥと直接通信するための識別子であり、
ＰｒｏＳｅレイヤ２グループＩＤは、ＵＥ間のグループ通信のための識別子であり、そして、
前記ＰｒｏＳｅ通信リンクを使用して、第１インターフェイスおよび第２インターフェイスを介して他のＵＥのためにデータを中継するように構成され、
前記他のＵＥは、前記基地局に関連する無線アクセスネットワークのカバレッジの外側に位置する。
【請求項３】
無線通信システムにおけるユーザー装置（ＵＥ）であって、前記ＵＥは、
第１インターフェイスを介して他のＵＥと通信し、第２インターフェイスを介して基地局と通信するように構成された通信手段を備え、
前記通信手段は、
近接ベースのサービス（ＰｒｏＳｅ）に関連した発見手順のための情報を含むシステム情報ブロック（ＳＩＢ）メッセージを受信し、
ＰｒｏＳｅに関連する発見メッセージを送信し、前記発見メッセージは、ＰｒｏＳｅレイヤ２グループＩＤおよびＰｒｏＳｅに関連するＩＤの少なくとも１つを含み、
前記ＰｒｏＳｅに関連するＩＤは、他のＵＥと直接通信するための識別子であり、
ＰｒｏＳｅレイヤ２グループＩＤは、ＵＥ間のグループ通信のための識別子であり、そして、
前記ＰｒｏＳｅ通信リンクを使用して、第１インターフェイスおよび第２インターフェイスを介して他のＵＥのためにデータを中継するように構成され、
前記ＵＥは、ＰｒｏＳｅ ＵＥからネットワークへのリレーを更に備える。
【請求項４】
第１インターフェイスを介して別のＵＥと通信し、第２インターフェイスを介して基地局と通信するように構成されたユーザー装置（ＵＥ）によって実行される方法であって、
前記方法は、
近接ベースのサービス（ＰｒｏＳｅ）に関連した発見手順のための情報を含むシステム情報ブロック（ＳＩＢ）メッセージを受信し、
ＰｒｏＳｅに関連する発見メッセージを送信することを含み、前記発見メッセージは、ＰｒｏＳｅレイヤ２グループＩＤおよびＰｒｏＳｅに関連するＩＤの少なくとも１つを含み、
前記ＰｒｏＳｅに関連するＩＤは、他と直接通信するためのＵＥの識別子であり、
前記ＰｒｏＳｅレイヤ２グループＩＤは、ＵＥ間のグループ通信のための識別子であり、そして、
前記ＰｒｏＳｅ通信リンクを使用して、第１インターフェイスおよび第２インターフェイスを介して他のＵＥのためにデータを中継する。
【請求項５】
第１インターフェイスを介して別のＵＥと通信し、第２インターフェイスを介して基地局と通信するように構成されたユーザー装置（ＵＥ）によって実行される方法であって、
前記方法は、
近接ベースのサービス（ＰｒｏＳｅ）に関連した発見手順のための情報を含むシステム情報ブロック（ＳＩＢ）メッセージを受信し、
ＰｒｏＳｅに関連する発見メッセージを送信することを含み、前記発見メッセージは、ＰｒｏＳｅレイヤ２グループＩＤおよびＰｒｏＳｅに関連するＩＤの少なくとも１つを含み、
前記ＰｒｏＳｅに関連するＩＤは、他と直接通信するためのＵＥの識別子であり、
前記ＰｒｏＳｅレイヤ２グループＩＤは、ＵＥ間のグループ通信のための識別子であり、そして、
前記ＰｒｏＳｅ通信リンクを使用して、第１インターフェイスおよび第２インターフェイスを介して他のＵＥのためにデータを中継し、
前記他のＵＥは、前記基地局に関連する無線アクセスネットワークのカバレッジの外側に位置する。
【請求項６】
第１インターフェイスを介して別のＵＥと通信し、第２インターフェイスを介して基地局と通信するように構成されたユーザー装置（ＵＥ）によって実行される方法であって、
前記方法は、
近接ベースのサービス（ＰｒｏＳｅ）に関連した発見手順のための情報を含むシステム情報ブロック（ＳＩＢ）メッセージを受信し、
ＰｒｏＳｅに関連する発見メッセージを送信することを含み、前記発見メッセージは、ＰｒｏＳｅレイヤ２グループＩＤおよびＰｒｏＳｅに関連するＩＤの少なくとも１つを含み、
前記ＰｒｏＳｅに関連するＩＤは、他と直接通信するためのＵＥの識別子であり、
前記ＰｒｏＳｅレイヤ２グループＩＤは、ＵＥ間のグループ通信のための識別子であり、そして、
前記ＰｒｏＳｅ通信リンクを使用して、第１インターフェイスおよび第２インターフェイスを介して他のＵＥのためにデータを中継し、
前記ＵＥは、ＰｒｏＳｅ ＵＥからネットワークへのリレーを備える。
【発明の詳細な説明】
【技術分野】
【０００１】
本発明は、通信システム及びその部品および方法に関する。本発明は、3GPP規格またはその等価物または派生物に対応して動作する無線通信システムおよびデバイスに排他的ではなく関する。
【背景技術】
【０００２】
無線通信システムは、ユーザー装置（UE）のユーザーが、基地局のうちの1つを介し、そして、一つまたは複数のコアネットワークを介して、他のユーザーとの通信を可能にする。通常、UEは、ラップトップコンピュータ、ウェブブラウザ、マシン型通信装置などの一般的な固定通信デバイスを指すが、UEは、モバイル（携帯）電話等のモバイル端末でもある。なお、以下の説明において、用語ユーザー通信装置が使用され、（モバイルおよび固定）は、ユーザー装置の任意のタイプをカバーすることを意図する。
【０００３】
アクティブまたは接続された状態でユーザー通信装置は、ネットワークに登録し、無線リソース制御（RRC）接続を有する基地局（またはセル）が、ユーザー通信装置が属し、ユーザー通信装置とデータを送信及び受信する基地局であると、ネットワークがわかるようにする。各ユーザー通信装置はまた、このようなパケットデータネットワークなどの一般的にゲートウェイ（基地局を超えてエンドポイントへのユーザー通信装置からデフォルト発展型パケットシステム（EPS）ベアラ（すなわち、エンドツーエンドの専用通信路）を確立するゲートウェイ（「PDN-GW」または「P-GW」など）、略して拡張パケットコア（EPC）ネットワーク、またはコアネットワーク）である。ユーザー通信装置に固有のEPSベアラは、ネットワークを介してIPパケットの伝送経路を画定する。EPCは、このような他のモバイル通信装置などの他の通信装置によって到達可能な移動体通信装置に1つ以上のIPアドレスを割り当てる。
【０００４】
モビリティ管理エンティティ（MME）は、コアネットワーク内のユーザー通信装置の一般的な移動態様を管理し、これらは、例えば、通信システムによってカバーされる地理的領域内で移動するように、接続がユーザー通信装置で維持されることを保証する（および/または、これらが原因で動きやまたは通信状況の変化により通信システムの基地局間でハンドオーバする）。MMEはまた、ベアラが提供され、それを介して他のネットワークノード（例えば、P-GW、S-GW）を制御することにより（例えば、EPSベアラおよび/または同様のもの）ユーザー通信装置に関連する種々のベアラを管理する。このため、MMEは、通信セッションの確立を管理するために、ユーザー通信装置（および/または他のネットワークノード）との非アクセス層（NAS）シグナリングメッセージを交換する。
【０００５】
E-UTRANと呼ばれるUTRAN（UMTS地上無線アクセスネットワーク）のロングタームエボリューション（LTE）の一部として、近接ベースのサービス（Proximity-based Services:ProSe）が導入されており、あるユーザー通信装置から他のユーザー通信装置に提供される間接的なベアラよりも、基地局及びコアネットワーク通信直接を介して（または基地局を介して局所的にルーティングされる間接的なベアラを使用して）、例えば、一対の上EPSベアラ（またはローカルにルーティングされた無線ベアラの組以上）、互換ユーザー通信装置間の直接デバイス間（D2D）通信ベアラを利用する。ProSe利用可能なユーザー通信装置が他のProSeユーザー通信装置（または同じ基地局によってサービス）の送信範囲内にあるときしたがって、コアネットワークのリソースおよび/または基地局のリソースを使用せずにユーザーデータを通信できる。このようなサービスは、デフォルトまたは他の従来のEPSベアラ（まだ通信の他のタイプに使用されるかもしれない）の代わりに、ダイレクト通信におけるユーザー通信装置間の特別な「D2D」、ベアラを確立することによって達成することができる。この直接ルーティングされた通信は、特に無線インターフェイス上で、利用可能な限られた資源のより良い利用につながる可能性がある。ProSeの機能の詳細は、3GPP技術レポートTR 23.703および3GPP技術仕様書TS 23.303ドキュメントに規定されており、その内容は参照により本明細書に組み込まれる。
【０００６】
より最近では、中継機能の提供は、ユーザー通信装置において、ProSeの機能を使用することは、1つのユーザー通信装置（「UEリレー」または「UE-R」と称する）が、シグナリングを中継することを許容し、他のユーザー通信装置が、ネットワークのカバレッジ内に位置しない場合であっても、ネットワークと別のユーザー通信装置でユーザーデータを送受信することが提案されている。中継ユーザー通信装置が、ネットワークの基地局によってサービスされているネットワークと接続している場合、中継ユーザー通信装置がネットワークサービスにアクセスするUE-Rを介してネットワーク（ユーザープレーンおよび制御プレーンデータの両方）と通信することができる。
【発明の概要】
【発明が解決しようとする課題】
【０００７】
ProSeサービスはこのような発見手順なしで実現されてもよいが、ProSeのサービスの恩恵を受けることができるようにするために、ProSe利用可能なユーザー通信装置は、ユーザー通信装置の送信を可能とするために、いわゆる（ネットワーク支援／カバレッジの有無にかかわらず行うことができる）発見手順を実行する。この発見手順の一部として、各ProSeは、（例えば、定期的に）近傍の他のこのようなユーザー通信装置に自身をアナウンスするビーコンを送信し、他のデバイスにより送信されるビーコンを受信する。2つ（またはそれ以上）のユーザーの通信装置が相互に発見した（例えば、それらは、他のユーザー通信装置のビーコンを受信している）後に、それらは互いにProSe通信セッションを開始することができる。
【０００８】
（特にProSe/D2Dベースの中継）中継に基づくUEに関連する問題は、中継ユーザー通信装置が、UE-Rを超えて他の通信エンドポイントに向かうEPS（および/または同様のもの）ベアラを確立した後であっても、中継ユーザー通信装置は、UE-Rを介して通信しながら、ネットワークに接続されたことを知覚できないことである。これらは直接基地局（または基地局とコアネットワーク）に接続されていないので、いくつかのモビリティ手順は、中継ユーザー通信装置に対して行うことができない。この状況では、ネットワークは、ユーザー通信装置がネットワークに接続するためにUE-Rを使用していることを知らないかもしれない。したがって、中継ユーザー通信装置が、UE-Rのサービス基地局を含む、いずれの基地局にも知られていないので、（多くの場合、操作の接続モードを必要とする）UEのモビリティ手順は、（UE-Rを介してネットワークに接続している）中継ユーザー通信装置のために確立できない。
【０００９】
具体的には、以下のRRCメッセージ（および関連手続き）が、UE-Rを経由して接続しながら、中継ユーザー通信装置ではサポートできない。
-「RRCコネクション要求」メッセージ;
-「RRC接続設定」メッセージ;
-「RRC接続設定完了」のメッセージ;
-「RRC 接続再構成」をメッセージ;
-「RRC接続再設定完了」のメッセージ;
-測定コマンド（通常はRRC接続再設定メッセージおよび/または同様のものを使用して送信）;
-「測定報告」のメッセージ;または
-ハンドオーバコマンド（通常はRRC接続再設定メッセージを用いて送信する）。
【００１０】
加えて、以下のNAS手順（およびメッセージ）が、UE-Rを経由して接続しながら、中継ユーザー通信装置では、UE-Rを経由して接続しながら、サポートできない。
-NASアタッチ／デタッチ処理（例えば「NASアタッチ要求」メッセージ、「NASアタッチ完了」メッセージ、「PDN接続要求」メッセージ;「NASデタッチ要求」メッセージ;「NASデタッチ承諾」メッセージ）;
-トラッキングエリア更新手順のためのNAS情報（例えば「NAS TAU要求」メッセージ;「NAS TAU受け入れ」メッセージ）;
-NAS情報手順（例えば「NAS 識別情報要求」メッセージ;「NAS識別情報応答」メッセージ）;
-認証手続き（例えば「NAS認証要求"メッセージ;「NAS認証応答」メッセージ）。
-サービス（例えば、インターネット接続）へのアクセス;
-（デフォルト）ベアラ作成手順（例えば、「デフォルトベアラコンテキスト要求をアクティブ」メッセージ;「デフォルトEPSベアラコンテキスト受け入れアクティブ」メッセージ）;または
-セキュリティ設定の手順（例えばセキュリティモードの手続きとして「NASセキュリティモードコマンド」メッセージ、例えば、「NASセキュリティモード完了」メッセージ）。
【００１１】
この問題に対処するために、可能な選択肢は、中継端末（すなわちUE-R）自体の中にE-UTRAN基地局（基地局）の機能を実現することである。しかし、このことは、このような中継ユーザー装置の複雑さと、関連コストの両方を増加させ、バッテリ寿命をかなり減少させる可能性がある。このことはまた、UE-R機能が、従来のユーザー通信装置を介して提供されることを可能にする一般的な必要性に反する可能性がある。これらは、追加された柔軟性、投資必要性の低さ、良好な信号品質、干渉低減、（他のノードとの連携なしで）優れたリソース割り当てのような、中継することによって提供される様々なメリットを享受するためにネットワークオペレータ（と同様のエンドユーザー）にとってより困難になる。
【００１２】
従って、本発明の好ましい実施形態は、上記の問題の少なくとも一つを克服するかまたは少なくとも部分的に軽減する方法及び装置を提供することを目的とする。
【課題を解決するための手段】
【００１３】
一態様において、本発明は、他のユーザー通信装置との通信リンクの提供を促進するための中継ユーザー通信装置であって、前記中継通信装置は、他のユーザー通信装置及び第1の基地局との通信手段を備え、前記通信手段は、以下を動作可能である、i)第1インターフェイスを介して前記他の通信装置と通信;  ii)第2インターフェイスを介して前記第1の基地局と通信;  iii)前記第1インターフェイスを介して、通信リンクの提供を開始するためのメッセージを通信;  iv)前記第1インターフェイスおよび第2インターフェイスを介して、前記他のユーザー通信装置からの通信リンクを前記確立するためのメッセージに応じて、第2基地局にコアネットワークと通信し、前記第2基地局は、前記中継ユーザー通信装置から離れている;  v)前記通信リンクを使用し、確立されたときに、前記第1インターフェイス及び前記第2インターフェイスを介して前記他のユーザー通信装置にデータを中継、を提供する。
【００１４】
通信リンクの提供を開始するための前記メッセージが、他のユーザー通信装置を前記中継ユーザー通信装置に登録要求;及び、前記中継ユーザー通信装置を介して前記他のユーザー通信装置のためのベアラを確立するための要求;の少なくとも一方を含んでもよい。
前記メッセージは、前記第1インターフェイス（例えば、ProSePDU）固有のプロトコルデータユニット（PDU）を含んでもよい。
【００１５】
前記メッセージは、前記ユーザー通信装置を識別する情報（例えば、対応するレイヤ2識別子、L2-id）;  他のユーザー通信装置を識別する情報（例えば、対応するL2-id）;  他の前記ユーザー通信装置に固有の1つまたは複数のパラメータ（例えば、グローバルに一意である一時的な識別子（GUTI））;  のうちの少なくとも1つを含んでもよい。
【００１６】
前記通信手段が、通信リンクの提供を開始するための前記メッセージに応答して、前記第2基地局を特定する情報（例えば、アクセスポイント名、APN）を取得するように動作可能であり、前記他のユーザー通信装置と、前記第2基地局と通信するために前記中継ユーザー通信装置に提供するコアネットワークエンティティとのベアラを確立するように動作可能であってもよい。
【００１７】
前記ユーザー中継通信装置を介して前記他のユーザー通信装置との専用ベアラを確立するための要求;  前記ユーザー中継通信装置を介して前記他のユーザー通信装置との既存のベアラを再利用するための要求;  のうちの少なくとも一つを通信リンクの提供を開始するためのメッセージとして含んでもよい。
【００１８】
前記通信手段は、他のユーザー通信装置のための専用ベアラを確立するための前記要求に応答して、前記中継ユーザー通信装置に提供するコアネットワークエンティティ（例えば、パケットデータネットワーク、PDNゲートウェイ）で、前記他のユーザー通信装置のための専用ベアラを確立するように動作可能であってもよい。
【００１９】
前記通信手段は、前記コアネットワークエンティティにより確立した前記専用ベアラを介して、前記第2基地局とインターネットプロトコル（IP）接続をするように動作可能であってもよい。他のユーザー通信装置と第2基地局の前記通信リンクは、レイヤ2（L2）リンクを含んでもよい。前記他のユーザー通信装置から前記第2基地局への前記通信リンクは、パケットデータコンバージェンスプロトコル（PDCP）接続で構成されてもよい。前記第1インターフェイスは、デバイス間通信（D2D）ベアラを含んでもよい。前記第2インターフェイスは、発展型パケットシステム（EPS）ベアラを含んでもよい。
【００２０】
前記中継データは、無線リソース制御（RRC）シグナリング、非アクセス層（NAS）シグナル伝達、インターネットプロトコル（IP）シグナリングのうちの少なくとも1つを含んでもよい。前記通信手段は、前記第1インターフェイスと前記第2インターフェイスのうちの一方を介して、少なくとも1つのプロトコルデータユニット（PDU）で前記データを受信し、前記第1インターフェイスと前記第2インターフェイスのうちの他方を介して、前記PDUの転送により、前記データを中継するように動作可能であってもよい。
【００２１】
前記通信手段は、前記第1インターフェイスを介して、前記少なくとも1つのPDUを受信するように動作可能であり、前記少なくとも1つのPDUに、前記第2基地局のための、適切にフォーマットされたシグナリングメッセージ（例えば、RRC接続要求メッセージ）を含むことにより、前記他のユーザー通信装置は、前記第2基地局とのRRC接続の確立を開始するように動作可能であってもよい。
【００２２】
前記通信手段は、前記第1インターフェイスを介して、前記少なくとも1つのPDUを受信するように動作可能であり、前記少なくとも1つのPDUに、前記第2基地局のための、適切にフォーマットされたシグナリングメッセージ（例えば、NASシグナリングメッセージ）を含むことにより、前記他のユーザー通信装置は、モビリティマネジメントエンティティ（MME）とのNAS接続の確立を開始するように動作可能であってもよい。
【００２３】
ロングタームエボリューション（LTE）規格に対応するユーザー装置を含んでもよい。
第1の基地局と第2基地局とから構成される通信ネットワーク内の中継通信リンクを介して通信するユーザー通信装置であって、前記ユーザー通信装置は、前記中継ユーザー通信装置を介して、第1の基地局と接続する他のユーザー通信装置を前記第2基地局と通信する手段を備えてもよく、  前記第2基地局は、前記中継ユーザー通信装置から離れており、前記通信手段は、以下を動作可能である、  i)前記第1インターフェイスを介して前記中継ユーザー通信装置と通信;  ii)前記第1インターフェイスを介して、前記中継ユーザー通信装置に、前記第2基地局との通信リンクの提供を開始するためのメッセージを送信;  iii)前記中継ユーザー通信装置を介して、前記第2基地局との通信リンクを確立;  iv)中継ユーザー通信装置を介し、確立されたときに、前記通信リンクを介し、前記第2基地局とデータを通信。
通信リンクの提供を開始するための前記メッセージは、ユーザー通信装置を前記中継ユーザー通信装置に登録要求;  及び、前記中継ユーザー通信装置を介して前記ユーザー通信装置のための専用ベアラを確立するための要求;  前記中継ユーザー通信装置を介して前記他のユーザー通信装置のために既存のベアラを再利用するための要求;  少なくとも一つを含んでもよい。
前記メッセージは、前記第1インターフェイス（例えば、ProSePDU）に固有のプロトコルデータユニット（PDU）を含んでもよい。
【００２４】
前記メッセージは、  前記ユーザー通信装置を識別する情報（例えば、対応するレイヤ2識別子、L2-id）;  他のユーザー通信装置を識別する情報（例えば、対応するL2-id）;
他の前記ユーザー通信装置に固有の1つまたは複数のパラメータ（例えば、グローバルに一意である一時的な識別子（GUTI））;  のうちの少なくとも1つを含んでもよい。
【００２５】
前記メッセージが、前記中継ユーザー通信装置が、前記第2基地局と通信するための前記中継ユーザー通信装置に提供するコアネットワークエンティティに、前記ユーザー通信装置のためのベアラを確立するように構成されてもよい。
通信リンクの提供を開始するための前記メッセージが、前記中継ユーザー通信装置を介して前記ユーザー通信装置のための専用ベアラを確立するための要求を含んでもよい。
前記通信手段は、前記他のユーザー通信装置のための専用ベアラを確立するための前記要求に応答して、前記中継ユーザー通信装置に提供するコアネットワークエンティティ（例えば、パケットデータネットワーク（PDN）ゲートウェイ）のための専用ベアラを確立するように動作可能であってもよい。
前記通信手段は、前記コアネットワークエンティティで確立された専用ベアラを介して前記2の基地局とインターネットプロトコル（IP）接続を確立するように動作可能であってもよい。
【００２６】
前記専用ベアラが拡張パケットシステム（EPS）ベアラを含んでもよい。
前記第1インターフェイスは、デバイス間通信（D2D）ベアラを含んでもよい。
前記通信リンク層は、前記第2基地局とのレイヤ2（L2）リンクで構成されてもよい。
前記通信リンクは、前記第2基地局とのパケットデータコンバージェンスプロトコル（PDCP）接続を含んでもよい。
記データは、無線リソース制御（RRC）シグナリング、非アクセス層（NAS）シグナル伝達、インターネットプロトコル（IP）シグナリングのうちの少なくとも1つを含んでもよい。
【００２７】
前記通信手段は、前記第1インターフェイスを介して、少なくとも1つのプロトコルデータユニット（PDU）で前記データを受信し、前記第１の基地局経由で、前記第2インターフェイスを介して、前記少なくとも1つのPDUは、中継ユーザー通信装置により中継するように動作可能であってもよい。
前記通信手段は、前記第1のインターフェイスを介して、前記少なくとも1つのPDUを受信するように動作可能であり、前記少なくとも1つのPDUに、前記第2基地局のための、適切にフォーマットされたシグナリングメッセージ（例えば、RRC接続要求メッセージ）を含むことにより、前記第2基地局とのRRC接続の確立を開始するように動作可能であってもよい。
前記通信手段は、前記少なくとも1つのPDUに、前記第2基地局のための、適切にフォーマットされたシグナリングメッセージ（例えば、NASシグナリングメッセージ）を含むことにより、前記他のユーザー通信装置は、モビリティマネジメントエンティティ（MME）とのNAS接続の確立を開始するように動作可能であってもよい。
【００２８】
ロングタームエボリューション（LTE）規格に対応するユーザー装置を含んでもよい。
中継ユーザー通信装置と通信するための基地局であって：  前記基地局は、中継ユーザー通信装置経由で、前記中継ユーザー通信装置を介して、前記基地局に接続された中継ユーザー通信装置と通信する手段を備えてもよく、  前記通信手段は、以下を動作可能であってもよい、  i)第1インターフェイスを介して前記中継ユーザー通信装置と通信;  ii)前記第1インターフェイスを介して、前記中継ユーザー通信装置に、前記中継ユーザー通信装置のための通信リンクの提供を開始するためのメッセージを通信;  iii)前記中継ユーザー通信装置を介して前記ユーザー通信装置に前記中継との通信リンクを確立;  iv)前記中継ユーザー通信装置を介し、確立されたときに、前記通信リンクを介して前記中継ユーザー通信装置とデータを通信する。
【００２９】
通信リンクの提供を開始するための前記メッセージは、  前記中継ユーザー通信装置を介して前記中継ユーザー通信装置のための専用ベアラを確立するための要求;  前記中継ユーザー通信装置を介して前記他のユーザー通信装置のために既存のベアラを再利用するための要求;  少なくとも一つを含んでもよい。
【００３０】
前記通信手段は、前記中継ユーザー通信装置を介して、インターネットプロトコル（IP）接続を確立するように動作可能であってもよい。
前記通信リンクが、前記中継ユーザー通信装置とのレイヤ2（L2）リンクを含んでもよい。
前記通信リンクは、前記中継ユーザー通信装置とのパケットデータコンバージェンスプロトコル（PDCP）接続で構成されてもよい。
【００３１】
前記データは、無線リソース制御、RRCシグナリング、非アクセス層、NAS、シグナル伝達、インターネットプロトコル、IPシグナリングのうちの少なくとも1つで通信してもよい。
【００３２】
前記通信手段は、前記第1のインターフェイスを介して、少なくとも1つのプロトコルデータユニット（PDU）で前記中継ユーザー通信装置と前記データを通信し、前記少なくとも1つのPDUは、前記第2のインターフェイス（例えば、デバイス間通信（D2D）インターフェイス）を介して、前記中継ユーザー通信装置により中継されるように動作可能であってもよい。
前記通信手段は、前記第1のインターフェイスを介して、前記中継ユーザー通信装置から前記少なくとも1つのPDUを受信するように動作可能であり、前記通信手段は、前記中継ユーザー通信装置から受信した前記少なくとも1つのPDUに含まれる、適切にフォーマットされたシグナリングメッセージ（例えば、RRC接続要求メッセージ）に従って、前記中継ユーザー通信装置経由で、前記中継ユーザー通信装置とのRRC接続の確立を開始するように動作可能であってもよい。
前記通信手段は、前記中継ユーザー通信装置から、前記少なくとも1つのPDUを受信するように動作可能であり、前記通信手段は、
前記少なくとも1つのPDUに含まれた、前記中継ユーザー通信装置からの、適切にフォーマットされたシグナリングメッセージ（例えば、NASシグナリングメッセージ）に基づいて、モビリティマネジメントエンティティ（MME）とのNAS接続の確立を開始するように動作可能であってもよい。
【００３３】
前記通信手段は、前記第1のインターフェイスを介して、前記少なくとも1つのPDUを受信するように動作可能であり、前記少なくとも1つのPDUに、前記第2基地局のための、適切にフォーマットされたシグナリングメッセージ（例えば、NASシグナリングメッセージ）を含むことにより、前記他のユーザー通信装置は、モビリティマネジメントエンティティ（MME）とのNAS接続の確立を開始するように動作可能であり、
前記中継ユーザー通信装置からの、前記少なくとも1つのPDU内の、コントロールプレーンシグナリング（例えば、NASシグナリング）を検出する手段を備え、
前記通信手段は、前記コントロールプレーンシグナリングを、前記少なくとも一つのPDUに前記コントロールプレーンシグナリングを検出する前記検出手段からコアネットワークエンティティ（例えば、モバイル管理エンティティ、MME）に転送するように動作可能であってもよい。
【００３４】
前記基地局が、前記中継ユーザー通信装置に関連付けられたネットワーク内に提供されてもよい。
基地局は、前記中継ユーザー通信装置に関連付けられた前記ネットワークのコアネットワーク部分に設けられてもよい。
前記第2基地局の機能の一部を実現するように構成されてもよい。
ロングタームエボリューション（LTE）に対応するネットワークノード（例えば、eNB）を備えてもよい。
【００３５】
一態様において、本発明は、他のユーザー通信装置との通信リンクの提供を促進するための中継ユーザー通信装置であって、前記中継通信装置は、他のユーザー通信装置及び第1の基地局と通信する送信回路を備え、前記送信回路は、以下を動作可能である、  i)第1のインターフェイスを介して前記他の通信装置と通信;  ii)第2のインターフェイスを介して前記第1の基地局と通信;  iii)前記第1のインターフェイスを介して、通信リンクの提供を開始するためのメッセージを通信;  iv)前記第1インターフェイスおよび第2のインターフェイスを介して、前記他のユーザー通信装置からの通信リンクを前記確立するためのメッセージに応じて、第2の基地局にコアネットワークと通信し、前記第2の基地局は、前記中継ユーザー通信装置から離れている;  v)前記通信リンクを使用し、確立されたときに、前記第1のインターフェイス及び前記第2のインターフェイスを介して前記他のユーザー通信装置にデータを中継。
【００３６】
一態様において、本発明は、第1の基地局と第2の基地局とから構成される通信ネットワーク内の中継通信リンクを介して通信するユーザー通信装置であって、前記ユーザー通信装置は、前記中継ユーザー通信装置を介して、第1の基地局と接続する他のユーザー通信装置を前記第2の基地局と通信する手段を備え、前記第2の基地局は、前記中継ユーザー通信装置から離れており、前記手段は、以下を動作可能である、  i)前記第1インターフェイスを介して前記中継ユーザー通信装置と通信;  ii)前記第1インターフェイスを介して、前記中継ユーザー通信装置に、前記第2の基地局との通信リンクの提供を開始するためのメッセージを送信;  iii)前記中継ユーザー通信装置を介して、前記第２の基地局との通信リンクを確立;  iv)中継ユーザー通信装置を介し、確立されたときに、前記通信リンクを介し、前記第2の基地局とデータを通信。
【００３７】
一態様において、本発明は、中継ユーザー通信装置と通信するための基地局であって、前記基地局は、中継ユーザー通信装置経由で、前記中継ユーザー通信装置を介して、前記基地局に接続された中継ユーザー通信装置と通信する送信回路を備え、前記送信回路は、以下を動作可能である、  i)第1インターフェイスを介して前記中継ユーザー通信装置と通信;  ii)前記第1インターフェイスを介して、前記中継ユーザー通信装置に、前記中継ユーザー通信装置のための通信リンクの提供を開始するためのメッセージを通信;  iii)前記中継ユーザー通信装置を介して前記ユーザー通信装置に前記中継との通信リンクを確立;  iv)前記中継ユーザー通信装置を介し、確立されたときに、前記通信リンクを介して前記中継ユーザー通信装置とデータを通信する。
【００３８】
一態様において、本発明は上記リレー記載のユーザー通信装置は、上記ユーザー通信装置、および上述の基地局を含むシステムを提供する。
【００３９】
本発明の態様は、対応する方法及び、上述または特許請求の範囲に記載の態様及び可能性で記載されたプログラム可能なプロセッサが方法を実行する、及び／または請求項のいずれかに記載の装置を提供することに適切に適合するコンピュータをプログラムする命令が格納されたコンピュータ可読記憶媒体のような、コンピュータプログラム製品にまで及ぶ。
【発明の効果】
【００４０】
本発明によれば、上記の1つまたは複数の問題が改善または克服される。
【図面の簡単な説明】
【００４１】
【図１】図1は、本発明の実施形態が適用され得るセルラ通信システムを示す図である。
【図２】図2は、図1に示すシステムにおける中継機能を示す図である。
【図３】図3は、図1に示すシステムのプロトコルアーキテクチャを示す。
【図４】図4は、概略的に図1に示すシステムにおけるエンドツーエンドのサービスを提供するための例示的なユーザープレーン・アーキテクチャを示す図である。
【図５】図5は、図1に示されるシステムの一部を構成するユーザー通信装置の機能の一部を示す機能ブロック図である。
【図６】図6は、図1に示されるシステムの一部を構成する中継ユーザー通信装置（UE-R）の機能の一部を示す機能ブロック図である。
【図７】図7は、図1に示されるシステムの一部を形成する遠隔基地局の機能の一部を示す機能ブロック図である。
【図８】図8は、中継ユーザー通信装置のためのRRC接続の確立は、図1に示すシステムにおいて実現することができる例示的な方法を示すタイミング図である。
【図９】図9は、中継ユーザー通信装置用のEPSベアラの確立は、図1に示すシステムにおいて実現することができる例示的な方法を示すタイミング図である。
【図１０】図10は、図1に示した構成要素の模式的に例示的な制御プレーンのプロトコルスタックを示す図である。
【図１１】図11は、図1に示した構成要素の模式的に例示的なユーザープレーンのプロトコルスタックを示す図である。
【図１２】図12は、図1の中継時には、パケットデータコンバージェンスプロトコル（PDCP）レベルで行われる場合の、図11に示す要素の模式的に例示的な制御プレーンのプロトコルスタックを示す。
【図１３】図13は、図1をPDCPレベルで実行されるリレーするときの、要素を模式的に例示的なユーザープレーンのプロトコルスタックを示す。
【図１４】図14は、中継がX2プロトコルを使用して実行されたときの、図1に示される要素の概略的例示的な制御プレーンのプロトコルスタック。
【図１５】図15は、中継がX2プロトコルを使用して実行されたときの、図1に示される要素の概略的例示的な制御プレーンのプロトコルスタック。
【図１６】図16は、X2プロトコルを用いて中継が行われるときの、図1に示される要素の概略的例示的なユーザープレーンのプロトコルスタック。
【発明を実施するための形態】
【００４２】
本明細書に開示された（特許請求の範囲を含む用語）および/または図面に示される各特徴が、独立して（あるいはと組み合わせて）、他に開示されたおよび/または示された特徴、本発明に組み込むことができる。特定の独立請求項の従属請求項のいずれかの機能を限定することなく、個別にまたは任意の組み合わせで、その独立クレームに導入することができる。
【００４３】
本発明の実施形態は、添付図面を参照して、一例として、説明する。
【００４４】
図1は、ユーザー通信装置(UE-R）3R）のような中継ユーザー装置、中継ユーザー装置3Rに提供する基地局5R、及び基地局5Rが接続されているコアネットワーク9Rを介して、他のユーザー装置および/またはリモートサーバーと通信可能な（モバイルまたは他のユーザー通信装置3のような）ユーザー装置における通信ネットワーク1を示している。この例では、ユーザー通信装置3及び3Rは、それぞれ中継UEが提供するおよびUE-Rが提供する、「ネットワーク（UE）」10及び「ネットワーク（UE-R）」10Rと表記される（サブ）ネットワークにより提供されている。
【００４５】
中継ユーザー通信装置3Rと提供されるネットワーク10Rとの間の通信は、1つ以上の基地局（例えば、基地局5R）を介して行われる。基地局5Rは、利用可能な、例えば、このような光ファイバリンクなどのような高速、高帯域通信リンクの、適切なインターフェイスを使用してコアネットワーク9Rに接続される。同様に、基地局5は、光ファイバリンクなどの、例えば、高速、高帯域通信リンクを利用可能な、適切なインターフェイスを使用してコアネットワーク9に接続される。コアネットワーク9および9Rは、また、1つまたは複数のゲートウェイを介して他のネットワーク（例えばインターネット）に接続される。
【００４６】
本実施形態では、コアネットワーク9および9Rは、特に、モバイル管理エンティティ（MME）11、11Rを複数有し、ゲートウェイ（S-GW）13、13R及びパケットデータネットワーク（PDN）ゲートウェイ（P -GWs）14、14Rに提供する。これらのコアネットワークエンティティの：中継UEに提供するネットワーク10は、MME11と、S-GW13と、中継UE3に提供するためのP-GW14を備え、UE-Rに提供するネットワーク10Rは、MME11Rと、S-GW13Rと、UE-R3Rに提供するためのP-GW14Rを備える。
【００４７】
好ましくは、本実施形態では、中継サービングUEネットワーク10は、中継UE3（および可能な他の中継UE）に提供するための「リモート」基地局（ReNB）5を備える。UE-Rに提供するネットワーク10Rにおいて、MME11Rは、ユーザー通信装置3Rの移動態様を管理し、サービス基地局との間で移動するように、たとえば、通信システム1よってカバーされる地理的領域内での移動となるように、ユーザー通信装置3Rとの接続を維持する。MME11Rは、ユーザー通信装置3Rに関連する様々なベアラを管理する。
【００４８】
S-GW13Rは、基地局5R（したがって、中継ユーザー通信装置3R）をユーザー通信装置3Rのためのユーザーデータを通信するための（およびUE-R3Rに接続された前記ユーザー通信装置のための）コアネットワーク9Rに接続する。ユーザー通信装置3Rのためのベアラ（例えば、デフォルトのEPSベアラ）は、通常、コアネットワーク9RのP-GW14Rで終端となるが、EPSベアラを他の、P-GW14Rとの間の内部または外部のベアラ及び他の通信、またはコアネットワーク9Rの内部または外部エンドポイントによって補完することができる。本実施形態では、例えば、P-GW14Rは、EPSベアラを補完し、中継UEに提供するネットワーク10のReNB5においてエンドポイントを有するベアラを有している。
【００４９】
中継UEに提供するネットワーク10において、MME11は（特定のユーザー通信装置か否かにかかわらず中継されている）ユーザー通信装置3の移動態様を管理し、例えば、通信システム1によってカバーされる地理的領域内での移動となるように、サービス基地局との間で移動するように、ユーザー通信装置3との接続を維持する。MME11はまた、ユーザー通信装置3に関連する様々なベアラを管理する。
【００５０】
ネットワーク10、10Rはまた、IP PDN15などの1つまたは複数の外部ネットワークに接続されている。
【００５１】
図1はユーザー通信装置3及び3Rを示す。図1は、両者がProSeの機能を備え、互いに（それらが互いの近傍にあり、それらは、適切な検出/接続手順を実行していると仮定する）1つまたは複数のダイレクト通信ベアラ、すなわち短期のD2Dベアラを確立することができる。D2Dベアラは、中継ユーザー通信装置3およびUE-R3Rとの間に設けられたダイレクト通信ベアラの識別を可能とする、関連するトラフィック・フロー・テンプレート（TFT）の情報を有していてもよい。各ダイレクト通信ベアラは、ダイレクト通信ベアラのために必要/合意した通信の異なる特徴を有している（例えばサービスの品質、変調、送信電力など）。
【００５２】
図1に示すように、中継ユーザー通信装置3Rは、基地局5Rを介して他のユーザー装置と基地局5R（表記「基地局」）および/または他のネットワークノードとの間でデータが中継されるように、中継機能を備えている。したがって、中継ユーザー通信装置3も、中継UE-R3Rを介してネットワーク10（例えば、EPSベアラ）に関連付けられたベアラを使用することにより、UE-R3R（及び基地局5R）を介して、関連するネットワーク10にアクセスでき及びサービスを受ける。
【００５３】
この例では、UE-R3Rは、有利に、中継サーバー45の機能を備え、これは、中継ユーザー通信装置3に提供するネットワーク10における、（UE3の対応する）中継クライアント44の機能と遠隔基地局（ReNB）5との間の通信を容易にする。ReNB5は、UE-R3RとReNB5の間の適切なIPトランスポート接続のような、UE-R3Rのユーザープレーン接続を使用して、アクセスされた関連するReNBサーバー機能65を有するIPサーバーを備える。本実施形態では、ReNB5は、（例えば、基地局5Rなどの）従来の基地局のものと類似している多くの機能を提供しながら、（この例では）ReNB5は、（実際）従来の基地局の完全な機能を有していない「仮想」基地局である。例えば、ReNB5は独自の物理セルをサポートし、直接（すなわち中継なし）、独自のモバイルデバイスに対応するようなハードウェア/ソフトウェアを有していない。
【００５４】
具体的には、本実施形態では、エンドツーエンドのレイヤ2リンクは、制御プレーンとユーザープレーンのパケットデータユニット（PDU）を搬送するための中継ユーザー通信装置3および（UE-Rの3Rを介して）ReNB5との間に設けられている。レイヤ2リンクは、UE-R3RとReNB5との間の、関連付けられたIPトランスポート接続を介して中継ユーザー通信装置3およびUE-R3Rの間にデバイス間のベアラを介して提供される。レイヤ2リンクは中継ユーザー通信装置3とReNB5との間で確立されたトンネルのように見なすことができる。レイヤ2リンクの上に、このようなPDCPなどのプロトコルだけでなく、RRC（無線Ressource制御）やNAS（Non Access Stratum）などの上位層プロトコルを確立することができる。
【００５５】
好ましくは、（UE-Rの3Rユーザープレーン接続を介してなど）UE-R3Rを介してレイヤ2リンクの提供は、中継UE3についての複雑さなしに、モビリティ管理態様を犠牲なしに、UE-R3RにおけるeNBの機能に提供するなどの、他の望ましくない効果もなしに、サービスを中継するベースUEリレーの助けを借りて、UE3にネットワークサービスに提供することができる。特に、この構成は有利にUE3がD2Dベアラを使用して、UE-R3Rと接続されても、UE3の）ネットワーク10が接続状態（例えば、RRC接続または「アクティブ」状態）であると中継ユーザー通信装置3に認識させることができる。レイヤ2リンクは、PDCP PDUおよびUE3とReNB5との間のPDCPプロトコルのセットアップの中継できるよう、さらにUE3と提供するネットワークとの間のレイヤ3シグナリング（例えばコントロールプレーンのシグナリング）の交換を可能とする。従って、例えば、それがUE3とReNB5との間のRRCシグナリング及び／またはUE3およびMME11の間のNASシグナリングを交換することが可能であり、中継ユーザーにとって、このことにより中継通信装置3のための既存のRRC/NAS手順を再利用する。したがって、ネットワークの観点から、中継ユーザー通信装置3は、RRC接続モードおよび/またはD2Dベアラが関与してもECM接続モードで動作させることができる。
【００５６】
有利なことに、このアプローチはUE-R3RのEPSベアラに影響しない（または、最小限である）。実際上、UE-R3Rは、ネットワークであり、それは、例えばReNB5とIPサーバーとの通信のために使用することができる任意の適切なEPSベアラ（および/または同様のもの）を使用することができる。さらに、1つまたは複数の共有EPSベアラは、中継複数のUEをサポートする各ベアラの共有EPSと共に、UE-R3Rにより使用することができる。さらに、UE-R3Rは、（複数の）UE3のためのシグナリングの制御を中継に関連しているだけで、このような機能を実装する必要がある。ユーザー通信装置3が中継されている場合、関連するReNB5（IPサーバーが提供する例えば、適切なReNB・サーバー機能65）と通信するための中継クライアント44を使用することができる。したがって、ReNB5は、従来の基地局（基地局5Rなど）である必要はなくていもよい。例えば、ReNB5は、任意の適切なネットワークエンティティ（または別個のエンティティとして）の一部として実装されてもよい。
【００５７】
要約すると、このような基地局の機能は、ユーザー通信装置3に提供するネットワーク内でReNB5エンティティによって提供することができるので、中継ユーザー通信装置3R、一部のみ中継機能性で広範囲（または完全な）基地局（基地局）の機能を実装する必要がない。このことにより、中継ユーザー通信装置3および関連するネットワークエンティティ（例えば、ReNB5/MME11）との間に設けることができるモビリティのハンドリング（例えば、RRC/NASシグナリング）を犠牲にすることなく中継ユーザー装置3Rの複雑さを低減する。ReNBサーバー65の機能を有するReNB5エンティティは、好ましくは、任意の従来の（規格準拠した）ユーザー装置の構成を、中継ユーザー通信装置3R（関連付けられた中継サーバー45機能が提供／動作可能である）を中継ユーザー通信装置とサービスネットワーク間の接続を維持するように動作するようにできる。
【００５８】
中継ユーザー通信装置3は、通信ネットワーク1の基地局の範囲外に位置する（しかし、一方でUE-R3Rの範囲内）である場合、上記システムは、特に有利である。
【００５９】
システムアーキテクチャ
図2は、より具体的に提案されたシステムアーキテクチャを示す。
特に、図2は、UE-R3RのEPSベアラ（および/または同様のもの）を用い、ユーザー通信装置3とレイヤ2リンク28の間のシグナリング（例えば、ユーザープレーンおよび/または制御プレーンデータ）の中継するためのUE-R3Rを示す。これは、適切な内部/外部ベアラはまた、ReNB5が配置されているネットワーク10に向かうEPSベアラを補完するために提供され得ることが理解される、しかし、このような外部/内部のベアラは、明確にするために省略されている。
【００６０】
図から分かるように、UE-R3Rは、基地局5R、MME11R、およびゲートウェイ13R/14Rを備えるネットワークインフラストラクチャ10Rに接続（提供）されている。他のユーザー通信装置3は、（例えばProSe無線ベアラを使用して）適切なD2Dインターフェイスを介してUE-R3Rに接続されている。ユーザー通信装置3に提供するネットワークインフラストラクチャ10は、ReNB5、MME11、およびゲートウェイ13/14を備える。
【００６１】
しかし、この場合、ユーザー通信装置3は、適切な無線ベアラを介して、サービス基地局に直接接続されていない。ユーザー通信装置3は、代わりに、レイヤ2リンク28を使用して、いわゆるリモート基地局5またはReNB5ネットワークエンティティに接続されている。レイヤ2リンク28は、UE-R3R、UE-R3Rに提供する基地局5R、およびゲートウェイ13R/14Rを介して確立される。中継ユーザー通信装置3とReNB5との間に確立されたレイヤ2リンク28は、ユーザー装置と3GPP TS36.300規格に従って動作するサービス基地局との間のMACおよびPHY層で構成される正規無線リンクに類似しているとみなすことができる。したがって、レイヤ2リンクを使用するReNB5は、非中継UEに標準基地局として、中継ユーザー通信装置3と同様の（または同一の）機能に提供することができる。
【００６２】
必ずしも図2に示す必要はないが、中継サーバーの機能は、UE-R3Rに設けられたレイヤ2リンク28を介した通信を容易にするために、中継クライアント機能が、ユーザー通信装置3に設けられており、ReNBサーバー機能は、ReNB5に設けられている。
【００６３】
図3は、図1に示す種々の層及びエンティティのプロトコル、ならびにこのような層およびプロトコルを用いて互いに通信することができる別のエンティティ（およびそれらの対応する層）との間のさまざまな関連付けを示す図である。
【００６４】
図から分かるように、中継ユーザー通信装置3と、関連するゲートウェイ（例えば、P-GW14）との間に設けられたエンドツーエンドIP接続20（例えば、EPSベアラ）があり、外部ネットワーク（例えば、IP PDN15内のノード）上のエンドポイントに向かう外部ベアラ21によって補完される。
【００６５】
中継ユーザー通信装置3および関連するゲートウェイ（例えば、P-GW14）との間のエンドツーエンドIP接続20は、MME11によって確立されたEPSベアラを介して提供することができる。このEPSベアラは、中継ユーザー通信装置3とS-GW13との間で確立されたE-RAB、及びS-GW13とP-GW14との間で確立されたS5/S8ベアラによってサポートされている。IP接続20及び関連するベアラのさらなる詳細は、下記図4を参照することにより得られる。
【００６６】
エンドツーエンドのNASコネクション22は、中継ユーザー通信装置3との間に設けられ、関連するMME11、およびエンドツーエンドのRRCコネクション23は中継ユーザー通信装置3と関連するReNB5との間に設けられている。上述したように、RRC/NASシグナリングは（および/または任意のIPシグナリング）は、中継ユーザー通信装置3とReNB5。
の間を、レイヤ2リンク28を使用して、トンネリングされる。エンドツーエンドIP接続20を介して、またはRRCエンドツーエンドのRRC接続23を介して搬送されるPDUは、中継ユーザー通信装置3とRENB5との間に確立されたオプションのPDCPプロトコル接続24を使用し、D2Dリンク29、3R中継機能、およびリンク25により形成されたレイヤ2リンク28を使用して、搬送される。
【００６７】
レイヤ2リンク28は、各中継クライアント44、中継サーバー45、およびReNBサーバー中継ユーザー通信装置3において、UE-R3R、ReNB5及びにそれぞれ設けられた機能65を使用して確立される。
【００６８】
UE-R3Rは、自身のゲートウェイ（P-GW14R）に自身のIP接続26（例えば、EPSベアラ）を有し、この例では、他のネットワーク、例えばReNB5（UE-Rの3Rネットワークと異なる場合）のネットワークにに向かう、対応する外部ベアラ27によって補完される。
ReNB5がUE-Rの3Rネットワークと同じネットワーク内に配置されている場合、適切な内部ベアラ（例えば、別のEPSベアラ）がP-GW14RとReNB5のIP層の間に外部ベアラ27の代わりに使用することができる。
【００６９】
UE-R3Rは、それぞれ、そのサービス基地局5RとMME11Rに関連したRRCとNASの接続のペアを保持している。
【００７０】
中継移動体通信装置3と、（レイヤ2以上）UE-R3Rの間に確立されたベアラ適切なD2D29（例えばProSeベアラ）もあり、これはUE-R3RとReNB5（UE-Rの3R IP接続26及び外部ベアラ27 EG使用）の間のリンク25で（中継）接続されている。したがって、上述のアーキテクチャを使用して、中継ユーザー通信装置3上で、（任意の）PDCPレイヤ（が存在する場合）から渡され、そしてその後D2Dベアラ29上での通信を担当する層に渡す、IP層でデータを送信するP PDN15における対応するアプリケーションで実行し、データは、（図1に「アプリ3」と表記する）アプリケーション間で交換されてもよい。
【００７１】
上位レイヤから受信したデータは、D2Dベアラ29を介してUE-R3Rに転送され、そのデータは、リンク25を介してRENB5に中継され、ここでPDCPが使用される場合、それはすなわち（PDCP層の）処理がなされる。
RENB5のPDCP層から（または、PDCPが使用されない場合、直接RENB5のトランスポート層から）、データは、中継ユーザー通信装置3に提供するゲートウェイ13/14に、そして、P-GW14からIP PDN15に渡され、（例えば、データに関連付けられた宛先IPアドレスに基づいて）適切なアプリケーションに配信される。
【００７２】
同様に、RRC/NASシグナリングを中継ユーザー通信装置3とReNB5のPDCP層との間のアプリケーションデータと同じパスを使用して通信することができ、IP PDN15に転送されるのではなく、シグナリングが（RRCシグナリングの場合）RRCレイヤまたは（NASシグナリングの場合）MME11に渡される。
【００７３】
したがって、中継UE3と他のノードの間で通信が、UE-R3Rに対して完全に透過的である間に、完全に透過的である中継ユーザー通信装置3のためのネットワークを提供するモビリティサポートと接続性を損なうことなく、データおよびシグナリングが適切な宛先ノードに配信される。
【００７４】
エンドツーエンドサービスアーキテクチャ
図4は、D2D中継が所定の位置にあるときに、レイヤ2リンク28が、ユーザー通信装置3と関連するReNB5との間でデータを通信するために設けられているベアラ・アーキテクチャを示す。図から分かるように、上から下までに、関連するEPSベアラ20（および/または同様のもの）を介して、二つの通信エンドポイントの間（ユーザー通信装置3とIP PDN15におけるアプリケーションの間など）にエンドツーエンドサービスを提供することができる。この例のように、他のエンドポイントが（P-GW14が配置されている）コアネットワーク9の外側に位置している場合、EPSベアラ20は、外部ベアラによって補完することができる。このようなEPSベアラ20は、ユーザー通信装置3と関連するS-GW13との間の13 E-RABベアラを使用し、S-GW13とP-GW14との間でS5/S8ベアラを使用して提供される。
【００７５】
関連するE-RABベアラは、レイヤ2リンク28とReNB5とS-GW13（3中継UEに提供する、すなわち、ゲートウェイ）との間に設けられたS1ベアラによって実現される。レイヤ2リンク28は、ユーザー通信装置3とUE-R3Rとの間、およびUE-R3RとReNB5との間に設けられた関連するリンク25の間で確立された適切なL2 D2D（例えばProSe）ベアラ29で構成されている。図から分かるように、D2Dベアラとリンク25との間でデータの中継は、UE-R3R内で行われる。したがって、実際上、中継ユーザー通信装置3の観点から、レイヤ2リンク28は、中継ユーザー通信装置3とReNB5との間でPDUを搬送するためのトンネルとみなすことができる。
【００７６】
UE-R3RとReNB5のそれぞれのトランスポート層との間のリンク25は、例えば、SCTP、TCP、UDP、RTP及び/または同様の適切なトランスポートプロトコルを使用して、実装されてもよい。このような適切なトランスポートプロトコルは、UE-R3R及びS/P-GW 13R/14Rとの間に確立されたIPリンク26（例えば、EPSベアラ）を介して、及びP-GW14RとReNB5の間に確立された別のIPリンク27（例えば外部ベアラ）を介して、IP層の上に設けられていてもよい。あるいは、トランスポートプロトコルは、直接IP層によって提供されてもよい。
【００７７】
（破線を用いて示される）、残りのベアラは、UE-R3R、他のノードとの間の通信を提供するためのUE-R3Rのために確立するベアラ（例えば、定期的な/デフォルトベアラ）を含む。従って、このような（UE-R固有の）ベアラがUE-R3Rに提供するネットワークエンティティを介してUE-R3RとReNB5との間の通信のために一般的に使用されてもよい。
【００７８】
エンドツーエンドのサービスは、関連する（UE-R固有の）EPS26（および/または同様の）ベアラと相補的なベアラ（ReNB5は、中継ユーザー通信装置UE-R3Rに提供するネットワーク10Rの外側に配置されたとき、外部ベアラ27）を介して中継ユーザー通信装置3RとRENB5との間に設けることができる。
【００７９】
UE-R3RのEPSベアラ26は、UE-R3RとS-GW13Rの間の、関連するE-RABベアラ、及びS-GW13RとP-GW14R間の相補S5/S8ベアラを使用して提供される。UE-R3RのためのE-RABベアラは、さらに関連する無線ベアラとS1ベアラを介して提供される。無線ベアラは、UE-R3R、そのサービス基地局5Rとの間に延び、そして、サービス基地局5RとS-GW13R（UEリレー3Rサービングすなわちゲートウェイ）との間のS1ベアラによって補完される。
【００８０】
UE-Rの3Rベアラを使用して受信したすべてのデータは、中継ユーザー通信装置3において、関連する（通常はL1ベアラに対応する）D2D無線ベアラを使用して中継ユーザー通信装置3に渡され、より高い層（およびその逆）に渡される。
【００８１】
有利なことに、図4のベアラ・アーキテクチャを使用して、RENB5および中継ユーザー通信装置3との間のRRC接続を、（したがって、ネットワークに接続されるように中継UE3を処置するため）UE-R3Rに基地局（eNB）が機能を実装せずに、提供することが可能である。同様に、適切なNAS接続も中継ユーザー通信装置3のモビリティ関連のシグナリングをサポートするために、MME11および中継ユーザー通信装置3との間に設けることができる。
ユーザー通信装置
【００８２】
図5は、ユーザー通信装置3（例えば、図1に示す中継ユーザー通信装置3）の機能の一部を示す機能ブロック図である。図示されるように、ユーザー通信装置3には、信号を送信すると、一つ以上のアンテナ33を介して基地局および/または他のユーザー通信装置から信号を受信するように動作可能である送受信回路31を有している。ユーザー通信装置3は、ユーザー通信装置3の動作を制御する制御部37を有している。コントローラ37は、メモリ39と連携しており、送信回路31に接続されている。図には必ずしも示していないが、図5は、ユーザー通信装置3（例えば、ユーザーインターフェイス35のような）従来のユーザー通信装置のすべての通常の機能を有してもよく、必要に応じて、いずれかまたはハードウェア、ソフトウェアおよびファームウェアの任意の組み合わせによって提供されてもよい。ソフトウェアは、メモリ39にプリインストールされてもよく、および/または通信ネットワークを介して、または、例えば、取り外し可能なデータ記憶装置（RMD）からダウンロードしてもよい。
【００８３】
コントローラ37は、メモリ39内に格納され、この例では、プログラム命令またはソフトウェア命令によって、ユーザー通信装置3の全体の動作を制御するように構成されている。図示されるように、これらのソフトウェア命令は、他の、オペレーティングシステム41、通信制御部42、デバイス間通信（D2D）モジュール43、中継クライアントモジュール44、NASモジュール46、RRCモジュール47、IPモジュール48、及びPDCPモジュール49についても含む。これは、（ユーザー通信装置3と対応する他の通信エンドポイントとの間の通信の種類に応じて、（例えば基地局、MME、P-GW、他のUE、等）が43〜49のモジュールの一つ以上が存在しなくてもよい（または動作しなくてもよい）ことが理解されるであろう。
【００８４】
ユーザー通信装置3と他のユーザー通信装置、基地局、またはコアネットワークエンティティ間の接続を制御する通信制御部42は、（例えば、生成、送受信）制御信号を取り扱う。通信制御部42は、他のユーザー通信装置、基地局、コアネットワークエンティティへ／から送信されるアップリンク／ダウンリンクデータおよびシグナリングの別々の流れを制御する。
【００８５】
デバイス間通信モジュール43は、（例えば適切な発見手順に従い）通信制御モジュール42がユーザー通信装置3の近傍に他の互換性のあるユーザー装置に（例えばProSeベースの）デバイス間通信経路を設定することを補助するように動作できる。デバイス間モジュール43は、L1とL2の両方の機能を有し、適切にフォーマットされたD2D（例えばProSe）PDUを使用して、他の通信装置の対応するデバイス間通信モジュールと（例えば、ユーザープレーンや制御プレーンデータを）通信してもよい。
【００８６】
リレークライアントモジュール44は、UE3とReNB5の間のレイヤ2リンク28を確立するために、UE-リレー3Rおよびユーザー通信装置3に提供するReNB5のReNBサーバーモジュール65の中継サーバーモジュール45と通信する。リレークライアントモジュール44は、様々な他のモジュール（層）との間の通信の開始、確立、および維持のための制御モジュールと考えることができる。
【００８７】
NASモジュール46は、関連する3GPP（例えばLTE）規格に準拠した非アクセス層シグナリングメッセージを扱う（例えば、生成、送信、受信）。具体的には、NASモジュール46は、特に、中継ユーザー通信装置3に提供するMME11と通信する。
【００８８】
RRCシグナリングモジュール47は、関連する3GPP（例えばLTE）規格に準拠した無線リソース制御メッセージを取り扱う（例えば、生成、送信及び受信）。具体的には、RRCモジュール47は、特に、ユーザー通信装置3に提供するReNB5（および/またはUE-R3R）と通信する。
【００８９】
IPモジュール48は、インターネットプロトコル規格（例えばIPv4の、IPv6の、モバイルIPなど）に準拠したデータパケットを取り扱う（例えば、生成、送信、受信）。具体的には、IPモジュール48は、特に、ユーザー通信装置3に提供するP-GW14、（P-GW14を介して）IP PDN15及び／またはIPモジュール48に対応する他の通信ノードと通信する。図５には示していないが、IPモジュール48は、適切な（ユーザーデータ用）のユーザープレーンサブモジュール、および/または（制御データ用）コントロールプレーンのサブモジュールを含むことができる。IPモジュール48はまた、TCP、SCTP、UDP、RTP及び/またはIPなどの適切なトランスポートプロトコルを実現するための1つまたは複数のサブモジュールを含むことができる。
【００９０】
（オプションの）PDCPモジュール49は、様々なPDCP層に関連付けられているサービス、特に、モビリティおよび/またはセキュリティに関連するサービスを実行する。PDCPモジュール49によって実行されるサービスは、存在する場合、暗号化／復号化、ヘッダ圧縮/解凍、インシーケンスパケット配信、重複検出、および/またはパケット再送サービスが含まれる。図５には示していないが、PDCPモジュール49は、適切な場所に、（ユーザープレーンPDCP機能用）ユーザープレーンサブモジュール及び／または（制御プレーンPDCP機能用）コントロールプレーンのサブモジュールを含むことができる。
【００９１】
（UE-Rのように構成された）ユーザー通信装置
図6は、他のユーザー装置にデータを中継するように構成されているときに、ユーザー通信装置（例えば、図1に示すUE-R3R）の機能の一部を示す機能ブロック図である。図5及び図6中、同じ番号のモジュールは、適宜同じ機能を実行する。
【００９２】
図示されるように、中継ユーザー通信装置3Rは、基地局5Rに信号を送信し、および/または1つ以上のアンテナ33を介して他のユーザー通信装置3からの信号を受信するように動作可能である送受信回路31を有している。中継ユーザー通信装置3Rは、中継ユーザー通信装置3Rの動作を制御する制御部37を有している。コントローラ37は、メモリ39と連携しており、送信回路31に接続されている。図6には必ずしも示していないが、中継ユーザー通信装置3Rは、もちろん（例えば、ユーザーインターフェイス35のような）従来のユーザー通信装置3のすべての通常の機能を有し、これは、任意の一つまたはハードウェア、ソフトウェアおよびファームウェアの任意の組み合わせによって適切に提供されてもよい。ソフトウェアは、メモリ39にプリインストールされてもよく、および/または通信ネットワークを介して、または、例えば、取り外し可能なデータ記憶装置（RMD）からダウンロードしてもよい。
【００９３】
コントローラ37は、メモリ39内に格納され、この例では、プログラム命令またはソフトウェア命令によって中継ユーザー通信装置3Rの全体の動作を制御するように構成されている。図示されるように、これらのソフトウェア命令は、オペレーティングシステム41、通信制御部42、デバイス間通信（D2D）モジュール43、中継サーバーモジュール45、NASモジュール46、RRCモジュール47、IPモジュール48、及びPDCPモジュール49についても含む。必要に応じて、中継ユーザー通信装置3Rは、適切であれば、追加のモジュール、例えばリレークライアントモジュール44を含むことができる。
【００９４】
通信制御部42は、中継ユーザー通信装置3Rと他のユーザー通信装置3は、基地局5、またはコアネットワークエンティティ間の接続を制御する制御信号を取り扱う（例えば、生成、送信、受信）。通信制御部42は、基地局5と、コアネットワークエンティティへ/から、他のユーザーの通信装置3へ/から送信されるアップリンク/ダウンリンクデータおよびシグナリングの別々の流れを制御する。
【００９５】
デバイス間通信モジュール43は、（例えば適切な発見手順に従い）通信制御モジュール42がユーザー通信装置3Rの近傍に他の互換性のあるユーザー装置に（例えばProSeベースの）デバイス間通信経路を設定することを補助するように動作できる。デバイス間モジュール43は、L1とL2の両方の機能を有し、適切にフォーマットされたD2D（例えばProSe）PDUを使用して、他の通信装置の対応するデバイス間通信モジュールと（例えば、ユーザープレーンや制御プレーンデータを）通信してもよい。
【００９６】
中継サーバーモジュール45は、ユーザー通信装置と、ユーザー通信装置とこのような接続ユーザーに提供するReNB5のReNBサーバーモジュール65と接続（中継）されたリレークライアントモジュール44とデバイス間通信モジュール43のサービスを使用して）通信する。リレーサーバーモジュール45は、リレークライアントモジュール44と、（特定の接続ユーザー通信装置との間で確立）D2Dベアラとで確立関連するリンク25との間の中継を制御することにより、特定の接続ユーザー通信装置に提供するReNB5のReNBサーバーモジュール65との間の通信を容易にする。
【００９７】
UE-R3RのNASモジュール46、RRCモジュール47、IPモジュール48、およびPDCPモジュール49は、基本的に図5を参照して説明したように、それぞれの番号のモジュールに対応するので、それらの説明はここでは繰り返さない。
【００９８】
リモート基地局
図7は、図1に示すシステム1の一部を形成する遠隔基地局5の機能の一部を示す機能ブロック図である。図示されるように、遠隔基地局5は、一つ以上のアンテナ53（任意）に信号を送信及び受信し、および/またはネットワークインターフェイス55を介してユーザー通信装置3からの信号を送信し、ネットワークインターフェイス55を介してネットワークノードからの信号を受信するように動作可能である送受信回路51を有している。
遠隔基地局5は、遠隔基地局5の動作を制御する制御部57を有している。コントローラ57は、メモリ59に連携しており、送信回路51に接続されている。
【００９９】
コントローラ57は、メモリ59内に格納され、この例では、プログラム命令またはソフトウェア命令によって、遠隔基地局5の全体の動作を制御するように構成されている。
ソフトウェアは、メモリ59にプリインストールされてもよく、および/または通信ネットワークを介して、または、例えば、取り外し可能なデータ記憶装置（RMD）からダウンロードしてもよい。図示されるように、これらのソフトウェア命令は、オペレーティングシステム61、通信制御部63、ReNBサーバーモジュール65、RRCモジュール67、IPモジュール68、及びPDCPモジュール69についても含む。
【０１００】
通信制御部63は、遠隔基地局5及び通信装置3、基地局5Rまたはコアネットワークエンティティの接続を制御するための制御信号を、取り扱う（例えば、生成、送信、受信）。通信制御部63は、ユーザー通信装置3、および他のネットワークエンティティへ/から送信されるアップリンク/ダウンリンクデータおよびシグナリングの別々の流れを制御する。
【０１０１】
ReNBサーバーモジュール65は、中継ユーザー通信装置3とReNB5間のレイヤ2のリンク28を介して（UE-R3Rの中継サーバーモジュール45および中継ユーザー通信装置3のリレークライアントモジュール44と共に）通信を制御する。
【０１０２】
RRCモジュール67は、無線リソース制御シグナリングメッセージを取り扱う（例えば、生成、送信、受信）。具体的には、RRCモジュール67は、特に、ReNB5により提供されるサービス中継ユーザー通信装置3のRRCモジュール47と通信する。RRCモジュール67は、レイヤ2リンクを介して受信したメッセージ、およびプロセスRRCメッセージから抽出するように動作可能である。抽出されたRRCメッセージが、NASメッセージを含む場合、RRCモジュール47は、（例えば、ReNB5とMME 11との間に設けられたS1-APインターフェイスを使用して）MME11に取り出されたNASメッセージを転送するように動作可能である。中継UE3によって処理される他の方向では、RRCモジュール67は、MME11から（S1-APを通じて）（NAS）メッセージを受信し、UE-R3Rに（例えば、基礎となるトランスポート層を介して、PDCPが使用される場合、必要に応じてPDCPモジュール69を介して）転送する。
【０１０３】
IPモジュール68は、インターネットプロトコル規格（例えばIPv4の、IPv6の、モバイルIPなど）に準拠したデータパケットを取り扱う（例えば、生成、送信、受信）。具体的には、IPモジュール68は、特に、、ユーザー通信装置3、特定のユーザー通信装置3に提供するP-GW14、および/または（P-GW14を介して）IP PDN15と通信する。（必要であれば、P-GW14Rを介して）IPモジュール68はまた、UE-Rの3Rネットワーク10RからP-GW14Rおよび/または他のエンティティとの通信を担当してもよい。図７には示していないが、IPモジュール68は、適切な（ユーザーデータ用）のユーザープレーンサブモジュール、および/または（制御データのための）コントロールプレーンのサブモジュールを含むことができる。IPモジュール68はまた、TCP、SCTP、UDP、RTP及び/またはIPなどの適切なトランスポートプロトコルを実現するための1つまたは複数のサブモジュールを含むことができる。
【０１０４】
（オプションの）PDCPモジュール69は、PDCP層に関連する様々なサービス、具体的にはユーザー通信装置3のモビリティおよび/またはセキュリティに関連するサービスを行う。特に、暗号化/復号化、ヘッダ圧縮と解凍、インシーケンスパケット配信、重複検出、および/またはパケット再送サービス：PDCPモジュール69によって実行されるサービスが含まれている。図５には示していないが、PDCPモジュール69は、適切な場所（ユーザープレーンPDCP機能のための）ユーザープレーンサブモジュール及び/または（制御プレーンPDCP機能のための）コントロールプレーンのサブモジュールを含むことができる。
【０１０５】
適切なレイヤ2リンク28（UE-R3Rを介して）が中継ユーザー通信装置3との間で確立された後、PDCPモジュール69（または、例えばPDCPが使用されていない場合、適切なトランスポート層の機能）は、（制御プレーンのメッセージの場合）RRCモジュール67に受信されたメッセージ、および/または（ユーザープレーン・メッセージの場合）適切なP-GW14に受信されたメッセージの内容に依存して、レイヤ2リンク28（例えば中継ユーザー通信装置3のPDCPモジュール49/トランスポート層の機能）を介してメッセージを受信し、転送することができる。他の方向では、PDCPモジュール69は、P-GW14からのユーザープレーンデータを受信する（例えば、ユーザープレーンデータはIP PDN15からおそらく来る）、および/またはMME11からの制御プレーンデータ（例えば、NASメッセージ）を受信するように動作可能である。PDCPモジュール69は、対応する中継ユーザー通信装置3（例えばそのPDCPモジュール49 /トランスポートレイヤ機能）との間で確立適切なレイヤ2リンク28を使用して、受信したメッセージ/データを転送するように動作可能である。
【０１０６】
以上の説明では、ユーザー通信装置3及び3RとReNB5は、理解を容易にするために、多数の別個のモジュールを有するように記載されている（例えば、通信制御モジュール、中継サーバー／リレークライアントモジュール、およびNAS/ RRC/ IP/ PDCPモジュールなど）。これらのモジュールは、特定の用途のために、このように提供することができるが、既存のシステムが本発明を実施するために変更されてもよい、例えば、他の用途では、最初から本発明の特徴を念頭において設計されたシステムにおいて、例えば、これらのモジュールであってもよいオペレーティングシステムまたはコード全体に組み込まれ、これらのモジュールは個別のエンティティとして認識していなくてもよい。これらのモジュールは、ソフトウェア、ハードウェア、ファームウェア、またはこれらの組み合わせで実施することができる。
【０１０７】
操作-RRCシグナリング中継
図8は、中継ユーザー通信装置3のRRC接続の確立が、図1に示すシステムにおいて実現することができる例示的な方法を示すタイミング図である。
【０１０８】
一般に、ステップS100に示すように、最初に、ユーザー通信装置3は、（例えば、D2Dモジュール43を使用して）が中継されるために構成される（例えば、ユーザー通信装置3が、現在のネットワークカバレージ外であると判断されるため）。少なくともUE-R3R（まだそこに接続しているユーザー装置がないかもしれないが）が、ネットワーク（基地局5R）の適用範囲内にある間に、他のユーザー通信装置3Rは、UE-リレーとして動作するように設定される。
【０１０９】
ステップS101において、ユーザー通信装置3及び3Rは、（それぞれのD2Dモジュール43を使用して）中継発見手順を実行する。ステップS101での手順はオプションであり、適切なD2Dビーコンを送信することによって、いずれかのユーザー通信装置によって開始することができ、中継発見手順は、ユーザー通信装置3及び3Rの間に1つまたは複数のシグナリングメッセージを交換する（可能であれば、基地局5Rおよび/またはコアネットワークエンティティ、例えば、MME11Rを備えても良い）。
【０１１０】
発見手順が完了すると、ユーザー通信装置3は、UE-R3Rを識別し、（中継クライアントモジュール44を使用する）ユーザー通信装置3および（中継サーバーモジュール45を使用）UE-R3Rは、ユーザー通信装置3に適するReNB5を選択/特定し、中継ユーザー通信装置3とReNB5との間のレイヤ2リンクを確立するために進みます。
【０１１１】
具体的には、次の手順は、様々なエンティティによって実行される。まず、ステップS103において、（中継クライアントモジュール44とD2Dモジュール43を使用して）ユーザー通信装置3は、UE-リレーサービスを使用するための（例えば、中継サーバー45のモジュール）UE-R3Rへの登録を開始する。具体的には、ユーザー通信装置3は、（D2Dモジュール43を使用して）UE-R3R（例えばProSeのPDUを含むことができる）適切にフォーマットされたシグナリングメッセージを生成し、送信する。
【０１１２】
ユーザー通信装置3は、このメッセージを含む。
i)メッセージのタイプ（例えば、リレー制御プロトコルメッセージ）を特定する情報;
ii)中継登録要求（リレークライアントモジュール44によって提供される）;
iii)送信者を識別する情報、例えば中継ユーザー通信装置3（例えば、関連するレイヤ2識別子および/または同様のもの）;
iv)受信者を識別する情報、例えばUE-R3R（例えば、関連するレイヤ2識別子および/または同様のもの）;及び
v)この要求を遵守するために必要とされる任意のUEパラメータ、例えば、中継ユーザー通信装置3および/またはReNB5に関連付けられているグローバルに一意である一時的な識別子（GUTI）。
【０１１３】
（この場合、リレー制御プロトコルメッセージである）メッセージのタイプに基づいて、UE-R3Rがこのメッセージを受け取ると、メッセージの内容を処理する中継サーバーモジュール45に渡される。ステップS104では、（リレーサーバーモジュール45を使用して）UE-R3Rは、おそらくネットワークによる支援を受けて、（提供された場合、中継登録要求GUTIに基づいて）中継ユーザー通信装置3のために設定／選択されたReNB5を識別する。具体的には、この例では、UE-R3RはReNB5に関連付けられたアクセスポイント名（APN）を取得する。
【０１１４】
次に、ステップS107において、（リレーサーバーモジュール45を使用して）UE-R3RはReNB5に関連するAPNのためのEPSベアラの確立を開始する。事実上、これは、EPSベアラを中継ユーザー通信装置3のデフォルトEPSベアラとして機能する。ステップS109において、UE-R3R（中継サーバーモジュール45）は、ユーザー通信装置3のデータを中継する目的で、UE-R3RとReNB5との間のIP接続の確立を開始する。ステップS109において、UE-R3Rはまた、新たに確立されたIP接続のために適切な任意の手順、例えば、ReNB5および/またはセキュリティ手順に関連付けられているIPアドレスの識別を実行します。この例では、IP接続は、一方の端部のReNB5のAPNに関連付けられたIPアドレス、およびもう一方の端のUE-R3Rに関連するIPアドレス（例えば、そのEPSベアラ）との間で、確立されている。
【０１１５】
ステップS110では、ユーザー通信装置3およびUE-R3Rが（それぞれD2Dモジュール43を使用して）中継ユーザー通信装置3およびUE-R3Rの間にD2Dベアラ29の確立を開始する。
【０１１６】
一般にステップS112に示したこの時点で、UE-R3Rは、ユーザー通信装置3（つまり、D2Dインターフェイス）とReNB5（例えば、ReNB5に向かうUE-R3RのIP接続26）との間のトラフィックを中継するように構成する。具体的には、UE-R3Rは、例えば、中継ユーザー通信装置3のレイヤ2識別子と、ReNB5に向かって確立された関連するトランスポート接続25との間の適切な関連付けを維持することによって、中継ユーザー通信装置3とReNB5との間のマッピングを作成する。
【０１１７】
ステップS113において、UE-R3Rは（D2Dモジュール43を使用して）適切にフォーマットされたシグナリングメッセージ（例えば、ProSePDUを含んでいてもよい）を生成して、送信し、このメッセージにリレー登録（ステップS103で要求の確認が含まれる）が正常に完了する。UE-R3Rは、（受信すると、中継クライアントモジュール44に渡すことができるように）メッセージのタイプを識別するこのメッセージ情報及び、それぞれ受信者と送信者が、中継ユーザー通信装置3、UE-R3Rを識別する情報（例えばそれらに関連するレイヤ2識別子）を含む。
【０１１８】
ステップS115、レイヤ2リンク28（従って接続性）が、一般的に示されるように、中継ユーザー通信装置3とReNB5との間に確立される。例えばステップS103〜S115を繰り返すことにより、複数のレイヤ2リンク28が中継ユーザー通信装置3及びReNB5との間に確立され得ることが理解できる。しかし、ProSePDU内に複数の要求を含むことにより、例えば、一度に確立することができる複数のレイヤ2リンク28が、ステップS103で送信され、（ステップS113〜S104で）、実質的に一緒に複数の要求を処理／確認されてもよい。
例えば、別個のレイヤ2リンク28は、図10から図16のいずれかに従って、例えば、それぞれ、制御プレーンとユーザープレーンPDUを中継するために使用することができる。複数のレイヤ2リンク28を使用する場合は、各レイヤ2リンク28は、有利に例えば、特定のレイヤ2リンク28を超える輸送のPDUに適応し、サービスの独自の関連する品質（QoS）を有することができる。
【０１１９】
必要に応じて、ステップS117では、それらの間に確立された適切なレイヤ2リンク28を使用して、中継ユーザー通信装置3とReNB5は、（例えば、それぞれのPDCPモジュール49および69を構成することによって、）相互に適切なPDCP接続24を設定するように進みます。PDCP接続24は、（例えば、重複検出、暗号化、ヘッダ圧縮、インシーケンスパケット配信、パケット再送信、及び／または同様のものなどの適切なPDCPサービスを適用することにより）安全かつ効果的に通信するために2つのエンドポイント（すなわち中継ユーザー通信装置3とReNB5）を可能にする。
【０１２０】
ステップS118〜S126に示すように次に、中継ユーザー通信装置3とReNB5は、PDCP接続24と、それらの間に確立されたレイヤ2リンク28を使用してRRC接続23を確立し、進みます。
【０１２１】
中継ユーザー通信装置3は、ステップS118で、UE-R3Rに（例えばProSePDUを含んでいてもよい）適切にフォーマットされたシグナリングメッセージ、（D2Dモジュール43を使用）、生成、送信することにより、RRCコネクション23の確立を開始する。
D2Dモジュール43も、このメッセージに（RRCモジュール47によって提供される）適切にフォーマットされたRRC接続要求メッセージを含んでいる。この例では、RRCメッセージは、ReNB5宛（ProSePDU内に含まれる）適切な形式のPDUに含まれている。
メッセージは、送信者と受信者を識別する情報（例えば、それぞれのレイヤ2識別子）と、メッセージのタイプを識別する情報（すなわち、「リレーPDUプロトコル」メッセージがUE-R3Rの中継サーバーモジュール45によって処理される）を含む。
【０１２２】
UE-R3Rは、ステップS119で（D2Dモジュール43を使用して）、ベアラD2D29上でProSeメッセージを受信し、PDCPメッセージを含むPDUに（リレーサーバーモジュール45と「リレーPDUプロトコル」メッセージを使用して)転送する（つまり、以前の登録に基づいて、上記のメッセージの送信者に相当）RRCメッセージをReNB5に備える。転送されたPDUは、ReNB5のPDCPモジュール69（IPモジュール68上のいくつかの代替案で実現）によって受信され、処理のためにRRCモジュール67に渡される。
【０１２３】
ステップS121において、ReNB5が（例えば、PDCP PDUを備えるPDUを使用して）、UE-R3Rに適切にフォーマットされたシグナリングメッセージを生成、送信し、メッセージの中に、前のステップで受信したRRC接続要求に対する応答が含まれている。この例では、応答は、中継ユーザー通信装置3RRCモジュール67によって提供されるRRCメッセージ、例えば「RRC接続セットアップ」メッセージを備える。
【０１２４】
このメッセージに応答して、UE-R3Rは（D2Dモジュール43を使用して）、ステップS122で、ProSePDUを含むシグナリングメッセージを生成、送信する。UE-R3Rは、このPDUにReNB5のRRC接続設定メッセージを含み、前のステップで受信する。
UE-R3Rは、（その適切なレイヤ2識別子によって）送信者と受信機を識別する情報、及びメッセージの種類（この場合は、リレーPDUプロトコル通信）は、このPDU情報に含まれ、メッセージの内容は、メッセージのタイプを処理する責任リレークライアントモジュール44に渡されます。
【０１２５】
中継ユーザー通信装置3は、受信したRRC接続設定メッセージに基づいて、そのRRCモジュール47を構成し、（D2Dモジュール43を使用して）ステップS124では、例えばProSePDUを含むことができ、適切にフォーマットされたシグナリングメッセージを生成し、UE-R3Rに送信する。D2Dモジュール43も、このメッセージに適切にフォーマット確認メッセージ、例えば（RRCモジュール47によって提供される）「RRC接続設定完了」メッセージを含む。シグナリングメッセージ（ProSePDU）は、D2Dモジュール43自体によって生成された上位層および/またはメッセージ（PDU）からD2Dモジュール43によって得られたメッセージ（PDU）を含むことができる。
D2Dモジュール43は、NAS層（NASモジュール46）、RRCレイヤ（RRCモジュール47）、IP層（IPモジュール48）、および/またはPDCPレイヤ（PDCPモジュール49）のような上位層からのメッセージ（PDU）を取得する場合、D2Dモジュール43は、上位層のメッセージ（PDU）を転送する前に、適宜上位層から得られる適応／修正したメッセージ（PDU）に構成してもよい。
【０１２６】
この例では、（RRCモジュール47から得た）RRC確認メッセージがReNB5宛の（ProSePDU内に含まれる）適切な形式のPDUに含まれている。メッセージは、送信者と受信者を識別する情報（例えば、それぞれのレイヤ2識別子）と、メッセージのタイプを識別する情報を含む（すなわち、「リレーPDUプロトコル」メッセージがUE-R3Rの中継サーバーモジュール45によって処理される）。
UE-R3Rは（D2Dモジュール43を使用して）ベアラD2D29上でProSeメッセージを受信し、そしてステップS125で、RENB5にRRC確認メッセージを含んでPDUに（リレーサーバーモジュール45を使用して）転送する（つまり、以前の登録に基づいて、上記のメッセージの送信者に対応する）。転送されたPDUは、ReNB5のPDCPモジュール69によって受信され、RRCモジュール67に渡される。
【０１２７】
一般に、ステップS126に示すように、この時点で、RRCコネクション23が正常に中継ユーザー通信装置3とReNB5間（レイヤ2リンクを使用して）確立されている。このRRC接続23は、無線レベル情報の交換を可能にし、3GPP TS 36.300およびTS.36.331で説明したようにRRCプロトコルに従って通信をサポートすることができる。（中継ユーザー通信装置3の）RRCモジュール47は、いわゆる「RRC_connected_mode」である際に、ReNB5は従来の基地局によって非中継ユーザー装置として提供される中継ユーザー通信装置3に類似（または同一の）のアクセス・ストラタム（AS）サービスに提供することができる。
【０１２８】
したがって、中継ユーザー通信装置3のために、種々のRRCサービスは、特にセキュリティやモビリティ機能を含む、「RRC_connected_mode」で実現することができる。RRCセキュリティ機能は、データベアラおよび中継ユーザー通信装置3および（UE-R3Rを介して透過的に）ReNB5との間に関連するPDCP接続24を確立することによって可能になる。RRCモビリティ機能には、（例えば、信号品質、および/または干渉の測定値として）、例えば、UEの測定機能、およびReNB5によるNASメッセージを（例えば、MME11から／へ）転送することができる。
【０１２９】
NASプロトコルは既存の規格に応じて実現されているため、ユーザー通信装置3のNASプロトコルは影響を受けない（または、最小限の影響で再利用することができる）。したがって、ReNB5は、S1-APインターフェイスとのRRC伝達機能への影響を最小限に抑えながら、MME11へのNASメッセージの転送を保証する。
【０１３０】
NASプロトコルとその手順の動作のいわゆる「ECM-CONNECTED」モードで行われる手順を含む、3GPP TS 23.401標準規格の仕様に記載されている、すなわち、ユーザー装置の一部は、EPSの接続管理（ECM）接続を有する場合は、NASメッセージを伝達するために、MMEにサービスを提供している。中継ユーザー通信装置3は、MME11で、例えば、アタッチ手順、トラッキングエリア更新（TAU）手順、及び／または（図8に示されている）既定のベアラ確立手順を実行することができる。MME11は、中継ユーザー通信装置3が特定のトラッキングエリア内にあることを考慮することに留意しなければならない。これは、MME11は、中継ユーザー通信装置3が、直接コアネットワーク9ではなく、UE-R3Rを通して接続するように、中継ユーザー通信装置3が特定のトラッキングエリア内にある（すなわち、基地局5／UE-R3Rとは異なるトラッキングエリアに所属する）ことを検討するかもしれないことに留意しなければなりません
【０１３１】
具体的には、図1に示すシステムのコンテキストで、さらに図9を参照して説明するに、専用EPSベアラは、UE-R3R及びP-GW14Rとの間に（及びUE-R3RとRENB5との間で確立された対応するIP接続）確立することができ、このことは、中継ユーザー通信装置3において、作成可能な「ECM-CONNECTED」モードで動作し、（UE-R3RとRENB5を介して提供するレイヤ2リンクを介して）MME11と、NASメッセージを伝えることができる。
【０１３２】
操作-NAS中継／ユーザープレーンシグナリング
図9は、中継ユーザー通信装置3のための専用EPSベアラの確立が、図1に示すシステムにおいて実現することができる例示的な方法を示すタイミング図である。この例では、専用EPSベアラの確立は、中継ユーザー通信装置3とIP PDN15内の通信ノードとの間のユーザープレーンデータを通信することである。図9に示された手順は、図8を参照して上述した手順の（例えば連続）の一部として実行されるてもよく、またはそれは別の手順として実行されるてもよい。
【０１３３】
この例では、一般にステップS200に示すように、外部ベアラ21が、中継ユーザー通信装置3に提供するIP PDN15とP-GW14との間に設けられている（なお、このステップS220は例えば次のステップの一部として実行されてもよいことに留意）また、中継ユーザー通信装置3は、図2を参照して説明した手順に従って、ReNB5に提供するレイヤ2リンク28によってサポートされた、MME11でNAS接続22を確立しているものとする。したがって、中継ユーザー通信装置3は、ReNB5及び（ReNB5を介して）MME11で制御プレーン（例えばRRC/NAS）シグナリングメッセージを交換することができる。
【０１３４】
ステップS202では、中継ユーザー通信装置3は、例えば（レイヤ2リンク28を介して）ReNB5との間で確立したコントロールプレーンの接続を使用して、MME11に専用ベアラの割り当てを要求する。これは、（そのNASモジュール46を使用）を生成し、MME11に適切にフォーマットされたNASサービス要求（例えば、「専用ベアラ要求」メッセージ）を（そのコントロールプレーン接続を使用して）送信するように実行される。図9には示していないが、MME11は、要求された専用ベアラに関連するトラフィックを処理するためのゲートウェイ13/14を設定し、ゲートウェイ13/14の設定が完了している中継ユーザー通信装置3の適切な確認を送信して、進みます。
【０１３５】
次に、中継ユーザー通信装置3に進むステップS202で要求されたベアラ専用のEPSに対応する専用のレイヤ2リンク（図1のステップS115で確立「デフォルト」のレイヤ2リンクとは対照的である。8）の作成を開始する。中継ユーザー通信装置3は、（D2Dモジュール43を使用して）ステップS205で、ProSePDUにおける適切にフォーマットされたメッセージを生成し、UE-R3Rに送信する。中継ユーザー通信装置3は、このメッセージで要求されたベアラのタイプの指示、例えば、UE-R3Rを介してユーザープレーンのデータを中継するReNB5に専用ベアラのための要求を含む。具体的には、PDUは、（例えば、レイヤ2識別子に関連する）中継ユーザー通信装置3、（例えば、レイヤ2識別子に関連する）UE-R3Rを特定する情報と、専用ベアラ確立要求を識別する情報を含む。S205で送信されたPDUは、その後、ステップS207に進み、UE-R3Rの中継サーバーモジュール45によって処理される。ステップS205は、S103に（両方ともReNB5とのIP接続の確立を開始し）類似しているが、この段階では、（ステップS104を参照して上述したように）ReNB5ためのAPN識別が必要ではないかもしれないので、UE -R 3Rは、以前このように、既にステップS104を実行している場合があり、中継ユーザー通信装置3を登録している可能性がある。
【０１３６】
ステップS207では、UE-R3Rは（例えば、そのリレーサーバーモジュール45を使用して）（例えば、既にReNB5を有している、既存のまたは「デフォルト」のEPSベアラに加えて）ReNB5に関連したAPNに（専用）EPSベアラ要求の確立を開始します。次に、ステップS209において、UE-R3Rは、（例えば、リレーサーバーモジュール45を使用して）ユーザー通信装置3にデータ（この場合、ユーザープレーンデータ）を中継する目的のために、UE-R3RとReNB5との間のIP接続26の確立を開始する。UE-R3Rは既に中継ユーザー通信装置3を登録しているかもしれないので、この段階では、ReNB5のIPアドレスの識別は（ステップS109で説明したように）、必要でないかもしれない、したがって、既にステップS109を実行している可能性がある。
【０１３７】
ステップS210において、中継ユーザー通信装置3およびUE-R3Rは、（それぞれD2Dモジュール43を使用して）中継ユーザー通信装置3およびUE-R3Rの間にD2Dベアラ29の確立を開始する。また、ユーザー通信装置3とUE-R3Rは、新しいD2Dベアラ29を確立する代わりに（ステップS110で確立された「デフォルト」D2Dベアラの再設定など）それらの間で既存のD2Dベアラ29の再設定を行うことができる。
【０１３８】
一般に、ステップS212に示すように、この時点で、UE-R3Rはユーザー通信装置3とReNB5間のトラフィック（すなわち要求された専用ベアラを介して通信するトラフィック）を中継するように構成されている。
【０１３９】
このように、ステップS214において、UE-R3Rは（D2Dモジュール43を使用して）適切にフォーマットされたメッセージ例えばProSePDUを生成して、送信する、そして、このメッセージで要求された専用ベアラが正常に設定されていることの確認が含まれている。このように、UE-R3Rは、また、（例えば、レイヤ2識別子に関連する）中継ユーザー通信装置3およびUE-R3Rを識別するこのメッセージ情報、およびメッセージの種類（例えば、「リレー制御プロトコル」メッセージ）を含み、適切なリレークライアントモジュール44に渡すことができる。確認は、中継ユーザー通信装置3のクライアントサーバーモジュール44で処理され、これはステップS215で、レイヤ2リンク28が、中継ユーザー通信装置3と提供RENB5との間に要求された専用ベアラが現在確立されていることを検出します。ステップS217では、それらの間に確立された適切なレイヤ2リンク28を使用して、中継ユーザー通信装置3とReNB5は、相互に適切なPDCP接続を（それぞれのPDCPモジュール49および69の適切な構成によって）設定し、進められる。
【０１４０】
次に、ステップS220において、（NASモジュール46を使用して）中継ユーザー通信装置3は、要求された専用ベアラの起動が完了したことを中継ユーザー通信装置3に通知する、MME11から適切にフォーマットされたメッセージなどを受信する。例えば、MME11が中継ユーザー通信装置3とReNB5との間に設けられたレイヤ2リンク28を介して、ReNB5を経由して、中継ユーザー通信装置3（すなわち、NASモジュール46）にNASメッセージ「専用ベアラCTXが受け入れ有効」に送信してもよい。この場合、MME11のNASメッセージはReNB5のRRCモジュール67に、適切にフォーマットされたS1-APメッセージを使用して、送信される。ReNB5は、（RRCモジュール67を使用して）PDCPモジュール69にメッセージを転送し、適切なレイヤ2リンク28のプロトコルを使用して中継ユーザー通信装置3（PDCPモジュール49）に向けてメッセージを送信する。
【０１４１】
一般に、ステップS226に示すように、最終的に、ユーザープレーンの接続は、現在中継ユーザー通信装置3とIP PDN15（IP PDN15などのアプリケーション）との間で確立される。このように、（S215で確立されたレイヤ2リンク28を使用してUE-R3Rにより、透過的に、中継される）要求された専用ベアラ及び（S200で設定された）外部ベアラを使用して、中継ユーザー通信装置3は、IP PDN15内の通信エンドポイントでユーザープレーンデータを通信することができる。
【０１４２】
したがって、要約すると、上述の中継アーキテクチャおよび手順を用いて、（UE-Rを使用して中継される）ユーザー装置のためのサービスのレベルは、少なくとも以下の3GPP要件に合致して提供することができる。
-UE-Rの機能は、（すなわち、UE-R内のeNBの機能の提供を必要とすることなく）ユーザー装置の標準的な項目によって提供することができる;
-UE-Rのみがリレーサーバーモジュール45の機能を実装する必要があるため、リレー機能に関してUE-Rの影響は、他のソリューションに比べて、制限されている;
-UE-Rに接続されたユーザー装置は、3GPPネットワーク（例えば、MMEおよび/または基地局のようなEPC+E-UTRANエンティティ）によって完全に制御されたままであり、3GPPネットワークサービスにアクセスすることができる;そして
-非中継ユーザー装置の現在の3GPP仕様で提供されるように、UE-Rにより提供（中継）されるユーザー装置は、同じレベルのセキュリティの恩恵を受ける（例えば中継UEと提供するReNBとの間のPDCP層接続の提供及び/または標準AS/NASセキュリティ手順）。
【０１４３】
好ましくは、このように後方互換性が維持され、UE-Rのサービス基地局にリリース8に準拠した基地局を使用することが可能である。さらに、UE-Rは、（UMTS、Wi-Fi、および/または同様のものを含む）ネットワークインフラストラクチャの任意のタイプに接続することができる。
【０１４４】
好ましくは、中継UE（関連リレークライアントモジュール44を使用して）及びUE-R（関連する中継サーバーモジュール45を使用して）は、（例えば、APN名に基づいて）ReNBと通信するためのIPアドレスを決定し、リレーされたUEとReNB間のレイヤ2リンク（または複数のリンク）を確立する。
【０１４５】
プロトコルスタック
図10〜13は、使用中に上記の手順を置くために使用され得る（中継UE、UE-R、ReNB、および他のネットワークノードのための）様々な例示的なプロトコルスタックを示す図である。
【０１４６】
図10は、中継ユーザー通信装置3とそのサービスネットワーク10との間の制御プレーンシグナリングの中継に関与する、図1に示す要素の例示的な制御プレーンのプロトコルスタックを示す図である。この場合、制御プレーン例えば、NAS/RRC）の中継は、シグナリングはReNB5とUE-R3R間のトランスポート層で実現されている（例えば、UE-R3R及びReNB5に関連するそれぞれのIPアドレスとの間に設けられたリンク25を介して）。さらに、UE-R3RとUE3の間の中継層は、適切なデバイス間のレイヤ2およびレイヤ1の通信技術（「ProSeL2」と、図10の「ProSeL1」を示す）を用いて実現されている。この例では、レイヤ2およびレイヤ1の通信技術は、標準のLTEの無線技術に基づいている。
【０１４７】
中継ユーザー通信装置3は、したがって、RRCシグナリング（ReNB5へ／から）および/またはNASシグナリング（MME11へ／から）を通信することができ、そして（例えば、適切なRRC/ NAS手順の完了時に）ネットワークに接続されたと知覚することができる。
。
【０１４８】
この場合には、レイヤ2（エンドツーエンド）のユーザープレーンは、  i）中継ユーザー通信装置3とUE-R3Rの間のProSeD2Dリンク29を提供する;  ii）トランスポート層でUE-R3R内中継;及び  iii)UE-R3RとReNB5の間のリンク25にユーザープレーントラフィックを転送;  をすることによって実現することができる。これは、さらに図11に示されている。
【０１４９】
図11は、中継ユーザー通信装置3とサービスネットワーク10との間のユーザープレーンデータの中継に関与する、図1に示される要素の例示的なユーザープレーンのプロトコルスタックを示す図である。図11に、中継ユーザー通信装置3に提供するゲートウェイ13/14を示している。ユーザープレーン（例えば、IP）シグナリングは、UE-R3Rのトランスポート層で中継され、UE-R3Rと中継UE3の間に適切なデバイス間のL2とL1の通信技術を使用している。中継ユーザー通信装置3は、IPシグナリング（および/または同様のもの）を通信する場合、このようなシグナリングは、UE-R3Rのトランスポート層で中継され、P-GW14、例えば、外部ネットワーク／IP PDN（図11には示されていない）内のアプリケーション、から離れたエンドポイントへ／からP-GW14を介して通信される。
【０１５０】
図12は、（中継ユーザー通信装置3とサービスネットワーク10との間の制御プレーンシグナリングの）中継時PDCPレベルで実行される、図1に示される要素の概略的例示的な制御プレーンのプロトコルスタックを示す図である。この場合、トランスポートおよびIPレイヤ機能は、リレーされたユーザー通信装置3ではなくからUE-R3Rによって提供される（これらは明確にするために省略されている）。
【０１５１】
したがって、（エンドツーエンド）制御プレーンは、：  I）中継ユーザー通信装置3およびUE-R3Rの間に適切なD2D（例えばProSe）リンク29を提供;  ii)IP/トランスポート層、例えばPDCP層、以下のUE-R3R内中継（このような層は、UE3によって処理されていることにより）;  およびiii)中継ユーザー通信装置3とReNB5との間の適切なトランスポート接続25(基地局5とS-GW13Rの間の、及びS-GW13RとP-GW14Rの間の、それぞれのGTP-U接続（及び/または同様のもの）を使用してIPパケットを搬送;  をすることによって実現することができる。
【０１５２】
図13は、（中継ユーザー通信装置3とサービスネットワーク10との間のユーザープレーンデータの）中継時PDCPレベルで実行される場合の、図1に示す要素の模式的に例示的なユーザープレーンのプロトコルスタックを示す図である。しかし、この場合には、（UE-R3Rに提供する）基地局5Rは、S-GW13Rを介して（中継UE3に提供する）ReNB5へのGTP-U接続によって接続されている。しかし、基地局5RとReNB5に直接接続されていてもよい、すなわちS-GW13Rの供給は、任意であることが理解されよう。あるいは、S-GW機能は、基地局5R（および/またはReNB5）に統合されてもよい。さらに、P-GW14Rので、中継ユーザー通信装置3とP-GW14との間の直接IP接続を備えるエンドツーエンド接続の代わりに、P-GW14R内のIPレベルでの中継はない。
【０１５３】
図14及び図15は、（中継ユーザー通信装置の3制御プレーンシグナリングの）中継時X2プロトコルを用いて行われる場合の、図1に示される要素の概略的例示的な制御プレーンのプロトコルスタックを示す図である。図15では、X2-U（X2のユーザープレーン）プロトコルが、中継ユーザー通信装置3の制御プレーンシグナリングを運ぶために、基地局5RとReNB5との間で使用される。図14では、X2-C（X2制御プレーン）プロトコルが、中継ユーザー通信装置3の制御プレーンシグナリングを運ぶために、基地局5RとReNB5との間で使用される。
【０１５４】
図16は、（中継ユーザー通信装置3のユーザープレーンデータの）中継時X2プロトコルを用いて行われる場合の、図1に示される要素の概略的例示的なユーザープレーンのプロトコルスタックを示す図である。具体的には、図16では、X2-Uプロトコルが、5RとReNB5を中継ユーザー通信装置3のためのユーザープレーンデータを搬送するために基地局との間で使用される。
【０１５５】
変更及び代替
詳細な実施形態については上述している。当業者が理解するように、多数の変更および代替は、そこで実施される発明から、利点を活かしながら、上記の実施形態に対して行うことができる。多数の代替および修正の例示のためにのみ、これらについて説明する。
【０１５６】
図1に示すように、個別の（UE-Rに提供する）ネットワーク10および(中継ユーザー通信装置に提供する）10Rが示されている。これは、ネットワーク10及び10Rをは、異なるネットワークオペレータまたは同じネットワークオペレータに属し（により操作され）てもよいことが理解されよう。同様に、基地局5RとReNB5は、異なるネットワークオペレータまたは同じネットワークオペレータに属し（によって操作され）てもよい、そして、中継UE3およびUE-R3Rは、異なるネットワークオペレータまたは同じネットワークオペレータを有してもよい。
【０１５７】
図1に示すように、IP PDNは、中継されたUEのネットワーク10に接続されることが示されている。しかし、IP PDNも同様にUEリレーのネットワーク10R（例えば、P-GWへ14R）に接続されてもよいことが理解できる。
【０１５８】
当業者が理解するように、2つのユーザー通信装置3と3Rと2つの基地局5及び5Rは、図1に示され、例示の目的のために、追加のユーザー装置及び/または基地局1は、展開され、システムに存在してもよい。また、図1では、別個のネットワークとして示されているが、2つのユーザー通信装置3及び3Rは同じネットワークによって提供されてもよいことが理解できる。（この場合、ユーザー通信装置3及び3Rは、同じネットワークの異なるMMEおよび/またはゲートウェイによって提供されてもよいことが理解できるが）。さらに、それは別々のエンティティとして示される一方で、S-GWとP-GWの機能は、単一のゲートウェイ要素において実現され得ることが理解されるであろう。
【０１５９】
上記の例では、ReNB5は、中継ユーザー通信装置に関連するネットワークの一部を形成することが記載されている。これはReNBの機能は、任意の適切なコアネットワークエンティティ及び/またはRANエンティティ（例えば、基地局、中継ノード、および/またはスタンドアロンReNBノード）により提供されてもよいことが理解できる。
制御及び中継UEと通信するための機能に加えて、例えば、追加のReNB 5の機能は、適切なReNBの強化と、従来の基地局の一部として実装されてもよく、したがって、ネットワーク内の別の場所に配置することができる中継のUEに対応することができる（この場合、ReNBは、従来の基地局のような）同じ（または類似の機能を持つことができ、例えばそれ自身のセル（単数または複数を提供することができる）と中継なし（直接に自身のモバイルデバイスにサービスを提供）））。
【０１６０】
ReNBの一部（または全部）の機能は、例えば、異なるネットワークエンティティによってネットワークの観点からProSeの機能のサポートに提供するエンティティを実装することができることが理解できる。例えば、ReNBの機能は、MMEおよび/または任意の他の適切なコアネットワーク（及び/またはRAN）のエンティティによって提供されてもよい。
【０１６１】
中継複数のUEが共通のレイヤ2リンク識別子を共有してもよいし、共通のレイヤ2リンク識別子を使用して接続し、制御してもよいことが理解できる。これ（例えば、ユーザーが比較的近接しているとき、GCSEとProSeのアプリケーション）は、このようなグループコール通信のような状況のための効率の点で利点を有する可能性がある。
【０１６２】
RRC接続がUE-RとeNB（UE-Rサービング）とのPDCP接続を介して提供され得ることが理解できる。基地局に転送すると、この場合の中継ユーザー通信装置からのRRCメッセージは、UE-RのRRCメッセージ内にカプセル化される。
【０１６３】
UEは、UEとReNB間のエンドツーエンド通信リンクの提供を開始するメッセージを送信するように説明されている間、リンクはUEにメッセージを送信することによって、UE-Rにより開始することができることが理解できる。
【０１６４】
上記の例では、中継（D2D）の通信経路は、LTE技術（ネットワークおよび中継ユーザー通信装置との間で使用され、すなわち、同じ通信技術）を使用することが記載されている。しかし、中継UEとUE-Rとの間のD2Dインターフェイスは、（基地局と中継ユーザー通信装置との間で用いられる通信技術にかかわらず、）任意の通信技術、例えば、WLANなどのWi-Fi、FlashLinQ(登録商標)、WiMAX(登録商標)、Bluetooth(登録商標)、BLE(登録商標)、ZigBee(登録商標)を使用して実現できることが理解できる。
【０１６５】
上記実施形態では、レイヤ2の通信リンクは、中継ユーザー通信装置とReNBの間に設けられている。ただし、この場合において用語「レイヤ2リンク」は、ネットワークの観点から、第2層に対応しないかもしれない中継ユーザー通信装置の観点からの通信リンクを指す。次のような「通常の」ネットワークのレイヤ2は、同じ層に対応することができるか、別の層に対応することができるので、「レイヤ2リンク」のネットワーク側は、UE側とは異なる層（レイヤ2より下の層）に接続されてもよいことことが理解できる。
【０１６６】
図12に示すように、レイヤ2プロトコルの上に、中継されたUEは、また、任意のトランスポート層に関連付けてもよく、同様にIP層を実装することができることが理解されよう。トランスポート層は、例えば、TCP層、UDP層、SCTP層、および/または同様のものを含んでもよい。
【０１６７】
また、基地局は、ホーム基地局、フェムト基地局、および/または同様のものなどの低電力ノード（LPN）を含んでもよいことが理解できる。また、いずれか一方（または両方）を中継し、中継ユーザー通信装置が低電力ノードを含んでもよいことが理解できる。
【０１６８】
これは、複数のレイヤ両方が持つ2リンク（例えば、適切な多重化層を使用して）UE-RとReNBを多重化することができることが理解できる。この場合、UE-RはReNBと単一のIP接続を介して（同じ中継UEに対して確立または異なる中継UEのため確立した）複数のレイヤ2リンクを多重化することができる。
【０１６９】
以上の説明では、UE-R3Rの中継サーバーモジュール45は、IP接続の確立を開始するものとして説明されている。UE-R3Rは、ReNB5のReNBサーバーモジュール65（関連ProSePDUを転送することによって）中継されたUEの登録要求を通信することができ、ReNB5その要求に基づくIP接続の確立（および/または中継端末3の登録）を開始することができることが理解できる。この場合、メッセージはステップS119、S121、及びS125で送信され、また、適宜ProSeのPDU（すなわち、ステップS118、S122、及びS124において、メッセージがUE-R3Rによって中継されてもよい）にフォーマット含むことができることが理解できる。
【０１７０】
図5、図6、及び図7の上記の説明は、それぞれ、リレークライアントモジュール、中継サーバーモジュール、およびReNBサーバーモジュールを含むように記載されている中継ユーザー通信装置とReNBの間にレイヤ2リンクの確立の制御プレーンの態様を管理するように構成される中継ユーザー通信装置、UE-R、およびReNBである。しかし、このようなモジュールは、異なる実装で異なる名前を有してもよいことが理解できる。さらに、「中継サーバー」モジュール、および/または「リレークライアント」モジュールの機能は、サーバーおよび/またはクライアント機能のみに限定されるものではなく、適切な場合に両方の機能を網羅することを意図している。例えば、「中継サーバー」モジュールの機能は、ReNBサーバーモジュール（および/またはリレークライアントモジュール）の観点から、クライアントと見なされるかもしれないことが理解できる。「リレー・サーバー」モジュールは、リレーサーバーモジュールは単に中継ユーザー通信装置とReNBの間でメッセージを中継するように構成してもよいので、リレー（というよりも、クライアントおよび/またはサーバー）とみなされる可能性がある。例えば、「中継サーバー」モジュールは、通信エンドポイントの特定の組み合わせをサポートするために専用であってもよく（例えば、特定のReNB、特定のユーザー通信装置のペアを中継）、「中継サーバー」モジュールの場合には機能特定のエンドポイント間の機能を中継に限定することができる。この場合、「中継サーバー」は、特定の中継ユーザー通信装置を登録、及び/または専用の「中継サーバー」モジュールがサポートする設定がなされている、特定のReNBに対応するAPNをルックアップする必要がないことが理解できる。
【０１７１】
図9のステップS202において、中継ユーザー通信装置が、提供するMMEとの接続（ECM）を使用して、NASシグナリングを通信することが記載されている。したがって、図9では、中継ユーザー通信装置は、NASシグナリングを使用して、サービス（例えば、専用ベアラ）に提供するために、MMEに要求することができる。しかし、正規のNASシグナリングを使用する代わりに、中継ユーザー通信装置は、例えばステップS118〜S125で説明したようにRRCメッセージをシグナリングするために、ユーザープレーンのPDU内のNASシグナリングメッセージを交換するように構成されることが理解できる。
【０１７２】
これは、リレークライアントモジュール、中継サーバーモジュール、およびReNBサーバーモジュールは、例えば、3GPP TS 23.331で指定されたRRCプロトコルから派生したプロトコルの任意の適切な通信プロトコルを使用することができることが理解できる。
【０１７３】
それは中継ユーザー通信装置との間で確立ReNBレイヤ2リンクの上に同様にPDCPを使用することが可能であることが理解されよう。しかしながら、この場合にPDCPサービスは、すべてのPDCPの機能のサブセットに限定することができる。
【０１７４】
上記の例では、UE-Rおよび中継UEは、異なるコアネットワークによって運営されている。しかし、それはまた、UE-Rのためのサービングコアネットワークを中継UEのコアネットワークと同じであってもよいことが理解できる。
【０１７５】
上記の例では、ユーザー通信装置が互いにD2D接続を確立するために、任意の発見手順を実行する。ユーザー通信装置は、相互に任意の適切なメッセージ、例えば、システム情報ブロードキャスト（SIB）メッセージ、マスター情報ブロック（MIB）メッセージ、情報交換メッセージ、要求/応答ベースのメカニズム、および/または同様のものの一部を形成するメッセージを通信することにより、このような発見手順を実現することができることが理解できる。
【０１７６】
上記の例では、2つのユーザー通信装置が互いに直接D2D接続を確立させた。当業者が理解するように、このような接続は、ユーザー通信装置のユーザーがカンファレンスコールをセットアップ中に一緒に接続され得るように、三つ以上のユーザー通信装置との間で確立されてもよい。この場合、例えば、すべての中継ユーザー通信装置が同じUE-Rを介して、それぞれのReNBに接続することができる）D2Dベアラ（は、3つ以上のユーザー通信装置との間に設けてもよい。
【０１７７】
以上の説明では、D2Dベアラは、グループサービスデータを中継する中継ユーザー通信装置と中継ユーザー通信装置との間に設定されている。このような「D2Dベアラ」がD2D無線ベアラ、D2D EPSベアラ、D2Dサービスベアラ、および/または同様のものの少なくとも1つを含むことができることが理解できる。
【０１７８】
上記の例では、UE-R技術を参照して説明した。しかし、例はまた、D2D（デバイス間）、P2P（ピアツーピア）、および/またはP2M（ピアツーマルチピア）技術のような他の分野にも適用可能であることが理解できる。
【０１７９】
以上の説明では、UE-Rは、スタンドアロンのエンティティとして記載されている。しかし、上述のUE-R機能は、複数のエンティティを使用して実装されてもよいことが理解できる。例えば、（関連する中継サーバーの機能を含む）UE-R機能は、2つの隣接するユーザー通信装置との間で、それぞれ「ホップ」を提供するために、それぞれのD2D /ProSe接続を使用して、基地局へのホップバイホップの方法で接続された複数のユーザー通信装置によって提供してもよい。また、UE-Rは、例えば、無線ルータに接続されたユーザー通信装置、ラップトップコンピュータ、および/または同様のもののような装置の形態で提供されてもよいことが理解できる。
【０１８０】
上記実施形態では、ユーザー装置は、携帯（セルラー）通信装置を備える。例えば、携帯電話、スマートフォン、パーソナルデジタルアシスタント、ラップトップコンピュータ、ウェブブラウザ、MTC（マシン型通信）デバイス等のような他のタイプのユーザー装置を使用することができる。
【０１８１】
図8及び図9の上記の説明において、特定のシグナリングメッセージは、実施例（例えば、「RRC接続要求」メッセージ、「RRC接続設定」メッセージ、等）として定義される。しかし、別のシグナリングメッセージはまた、例えば、任意の適切なアクセス層（AS）及び/または非アクセス層（NAS）メッセージ、および/または非3GPPメッセージを使用してもよいことが理解できる。
【０１８２】
特に、それはUE-Rを介してネットワークに接続しながら、次のRRCメッセージ（および関連手順）は、中継ユーザー通信装置用にサポートされてもよいことが理解できる。
-「RRCコネクション要求」メッセージ;
-「RRC接続設定」メッセージ;
-「RRC接続設定完了」のメッセージ;
-「RRC 接続再構成」をメッセージ;
-「RRC接続再設定完了」のメッセージ;
-測定コマンド（通常はRRC接続再設定メッセージおよび/または等を使用して送信）;
-「測定報告書」のメッセージ;または
-ハンドオーバコマンド（通常はRRC接続再設定メッセージを用いて送信）。
【０１８３】
これはまた、UE-Rを介してネットワークに接続しながら、以下のNAS手順（及びメッセージ）を中継ユーザー通信装置用にサポートされてもよいことが理解できる。
-NASアタッチ/／デタッチ処理（例えば「NASリクエスト添付」メッセージ;「NAS完全アタッチ」メッセージ;「PDN接続要求」メッセージ;「NASデタッチ要求」メッセージ;「NASデタッチ承諾」メッセージ）;
-トラッキングエリア更新手順のためのNAS情報（例えば「NAS TAU要求」メッセージ;メッセージ「NAS TAU受け入れ」）;
-NAS情報手順（例えば「NAS識別子要求」メッセージ;「NAS識別子応答」メッセージ）;
-認証手続き（例えば「NAS認証要求」メッセージ;「NAS認証応答」メッセージ）;
-サービス（例えば、インターネット接続）へのアクセス;
-作成手順ベアラ（デフォルト）（例えば、メッセージ「デフォルトベアラコンテキスト要求アクティブ」;メッセージ「デフォルトEPSベアラコンテキスト受け入れアクティブ化"）;または
-セキュリティ設定の手順（例えばセキュリティモードの手続きとして「NASセキュリティモードコマンド」メッセージ、例えば、「NASセキュリティモード完了」メッセージ）。
【０１８４】
図の上記の説明である。図8及び図9は、ベアラの起動は、中継UEによって要求される。しかしながら、UE-Rによりベアラが直接活性化（または要求）されてもよいことが理解できる。あるいは、ベアラは、異なるエンティティ例えば、基地局、ReNBまたはMME、によって活性化されてもよい。
【０１８５】
上記の例では、中継ユーザー通信装置は、GUTIの形態のUE-Rに識別子に提供するために記載されている。しかしながら、GUTIの代わりに（またはそれに加えて）、任意の他の適切な識別子が提供されてもよいことが理解できる。例えば、中継ユーザー通信装置は、IMSI（例えば、1つまたは複数のIMSIのフィールド）及び/または同様のものを提供してもよい。識別子は、例えば（GUTIに使用される）TMSI、（GUTIとIMSIのために使用される）PLMN ID（、IMSIのために使用される）MSIN、及び/または同様のものを含んでもよい。
【０１８６】
さらに、中継されたUEは、公開識別子（例えば、PLMN IDから構成される、電話番号または同様の、MSIN、IMSI = PLMN ID + MSIN、および/またはIPアドレス）を使用してもよいことが理解できる。また、中継されたUEは、非公開識別子、すなわち3GPPエンティティのみによって使用される、及び、中継されたUEに提供する特定のネットワーク内で使用される識別子を使用してもよいことが理解できる。このような非公開識別子は、例えば、（NASシグナリングのための）GUTI/TMSI、および/または（ASシグナリングのための）MME UE S1AP IDを含んでもよい。
【０１８７】
また、UE-Rは、ユーザー通信装置がもはや接続されてないと判断する（例えば、中継されたUEはカバレッジから出て行ったか、別のUEリレーまたは基地局へのハンドオーバを行う）場合には、UE-RもはやUE-Rに接続されているユーザー通信装置に関連ReNBを（中継サーバーを使用して）更新してもよいことが理解できる。この場合、もはや接続されているUEのレイヤ2リンクが中断されてもよく、および/またはそのレイヤ2リンクを介して送信されるトラフィックは、別のレイヤ2リンクに再ルーティング（使用可能な場合）またはUEが再び接続されるまでバッファリングされてもよい。
【０１８８】
これは、いくつかのメッセージが同時にネットワークへ/から送信されてもよく（例えば、組み合わせとして）および/またはメッセージは異なる時間に送信されてもよく、それらは、上記に提示されたものとは異なる順序であってもよいことが理解できる。
【０１８９】
以上の説明では、（中継された／中継する）ユーザー通信装置と遠隔基地局は、個別の多数の機能コンポーネントまたはモジュールを有すると理解を容易にするために記載されている。これらのモジュールは、特定の用途のために、このように、例えば、既存のシステムが本発明を実施するために変更されて提供することができるが、他の用途では、例えば、最初から本発明の特徴を念頭において設計されたシステムにおいて、これらのモジュールは、オペレーティングシステムまたはコード全体に組み込まれてもよく、これらのモジュールは個別のエンティティとして認識していなくてもよい。
【０１９０】
上記実施形態では、ソフトウェアモジュールが説明されている。当業者が理解するように、ソフトウェアモジュールは、コンパイルされたまたは未コンパイルされた形式で提供されてもよいし、コンピュータネットワーク上または記録媒体上の信号として（中継された／中継する）ユーザー通信装置及び／またはリモート基地局に供給することができる。さらに、このソフトウェアの一部またはすべてによって実行される機能は、1つ以上の専用ハードウェア回路を用いて行うことができる。これは（中継された／中継する）ユーザー通信装置および／または遠隔基地局の更新を容易にするが、これらの機能を更新するために、ソフトウェアモジュールを使用することが好ましい。
【０１９１】
他の様々な変更は、当業者に明らかであり、ここではさらに詳細には説明しない。
【０１９２】
3GPP用語の用語集：
D2D  デバイス間通信
eNB  発展型ノードB、E-UTRANの基地局
EPC  発展型パケットコア
EPS  発展型パケットシステム
E-UTRA  発展型UMTS地上無線アクセス
E-UTRAN  発展型UMTS地上無線アクセスネットワーク
IP  インターネットプロトコル
LTE  （UTRANの）ロングタームエボリューション
MAC  メディアアクセス制御
MME  モバイル管理エンティティ
NAS  非アクセス層
PDCP  パケットデータコンバージェンスプロトコル
PDN  パケットデータネットワーク
PDU  パケットデータユニット
P-GW  PDNゲートウェイ
PHY  物理層
ProSe  プロキシミティベースのサービス
（E-）RAB  （EPS-）無線アクセスベアラ
RLC  無線リンク制御
RRC  無線リソース制御
SCTP  ストリーム制御伝送プロトコル
SDP  サービスデリバリープラットフォーム
S-GW  サービングゲートウェイ-
TFT  トラフィックフローテンプレート
UDP  ユーザーデータグラムプロトコル
UE  ユーザー装置
UE-R  UEリレー
UMTS  ユニバーサル移動通信システム
付記
上記に開示した実施形態の全部または一部は、説明するが、以下の補足事項に限定されない。
【０１９３】
（付記1）
他のユーザー通信装置との通信リンクの提供を促進するための中継ユーザー通信装置であって、前記中継通信装置は、
他のユーザー通信装置及び第1の基地局との通信手段を備え、
前記通信手段は、以下を動作可能である、
i)第1インターフェイスを介して前記他の通信装置と通信;
ii)第2インターフェイスを介して前記第1の基地局と通信;
iii)前記第1インターフェイスを介して、通信リンクの提供を開始するためのメッセージを通信;
iv)前記第1インターフェイスおよび第2インターフェイスを介して、前記他のユーザー通信装置からの通信リンクを前記確立するためのメッセージに応じて、第2基地局にコアネットワークと通信し、前記第2基地局は、前記中継ユーザー通信装置から離れている;
v)前記通信リンクを使用し、確立されたときに、前記第1インターフェイス及び前記第2インターフェイスを介して前記他のユーザー通信装置にデータを中継。
【０１９４】
（付記2）
通信リンクの提供を開始するための前記メッセージが、
他のユーザー通信装置を前記中継ユーザー通信装置に登録要求;及び、
前記中継ユーザー通信装置を介して前記他のユーザー通信装置のためのベアラを確立するための要求;
の少なくとも一方を含む付記1に記載の中継ユーザー通信装置。
【０１９５】
（付記3）
前記メッセージは、前記第1インターフェイス（例えば、ProSePDU）固有のプロトコルデータユニット（PDU）を含む付記1または2にに記載の中継ユーザー通信装置。
【０１９６】
（付記4）
前記メッセージは、
前記ユーザー通信装置を識別する情報（例えば、対応するレイヤ2識別子、L2-id）;
他のユーザー通信装置を識別する情報（例えば、対応するL2-id）;
他の前記ユーザー通信装置に固有の1つまたは複数のパラメータ（例えば、グローバルに一意である一時的な識別子（GUTI））;
のうちの少なくとも1つを含む付記1〜3のいずれかに記載の中継ユーザー通信装置。
【０１９７】
（付記5）
前記通信手段が、通信リンクの提供を開始するための前記メッセージに応答して、前記第2基地局を特定する情報（例えば、アクセスポイント名、APN）を取得するように動作可能であり、前記他のユーザー通信装置と、前記第2基地局と通信するために前記中継ユーザー通信装置に提供するコアネットワークエンティティとのベアラを確立するように動作可能である付記1〜4のいずれかに記載の中継ユーザー通信装置。
【０１９８】
（付記6）
前記ユーザー中継通信装置を介して前記他のユーザー通信装置との専用ベアラを確立するための要求;
前記ユーザー中継通信装置を介して前記他のユーザー通信装置との既存のベアラを再利用するための要求;
のうちの少なくとも一つを通信リンクの提供を開始するためのメッセージとして含むことを特徴とする付記1〜5のいずれかに記載の中継ユーザー通信装置。
【０１９９】
（付記7）
前記通信手段は、他のユーザー通信装置のための専用ベアラを確立するための前記要求に応答して、前記中継ユーザー通信装置に提供するコアネットワークエンティティ（例えば、パケットデータネットワーク、PDNゲートウェイ）で、前記他のユーザー通信装置のための専用ベアラを確立するように動作可能である付記６に記載の中継ユーザー通信装置。
【０２００】
（付記8）
前記通信手段は、前記コアネットワークエンティティにより確立した前記専用ベアラを介して、前記第2基地局とインターネットプロトコル（IP）接続をするように動作可能である付記７に記載の中継ユーザー通信装置。
【０２０１】
（付記9）
前記第1インターフェイスは、デバイス間通信（D2D）ベアラを含む付記1〜8のいずれかに記載の中継ユーザー通信装置。
【０２０２】
（付記10）
前記第2インターフェイスは、発展型パケットシステム（EPS）ベアラを含むことを特徴とする付記1〜9のいずれかに記載の中継ユーザー通信装置。
【０２０３】
（付記11）
他のユーザー通信装置と第2基地局の前記通信リンクは、レイヤ2（L2）リンクを含む前記付記1〜10のいずれかに記載の中継ユーザー通信装装置。
【０２０４】
（付記12）
前記他のユーザー通信装置から前記第2基地局への前記通信リンクは、パケットデータコンバージェンスプロトコル（PDCP）接続で構成される付記1〜11のいずれかに記載の中継ユーザー通信装置。
【０２０５】
（付記13）
前記中継データは、無線リソース制御（RRC）シグナリング、非アクセス層（NAS）シグナル伝達、インターネットプロトコル（IP）シグナリングのうちの少なくとも1つを含む付記1〜12のいずれかに記載の中継ユーザー通信装置。
【０２０６】
（付記14）
前記通信手段は、前記第1インターフェイスと前記第2インターフェイスのうちの一方を介して、少なくとも1つのプロトコルデータユニット（PDU）で前記データを受信し、前記第1インターフェイスと前記第2インターフェイスのうちの他方を介して、前記PDUの転送により、前記データを中継するように動作可能である付記1〜13のいずれかに記載の中継ユーザー通信装置。
【０２０７】
（付記15）
前記通信手段は、前記第1インターフェイスを介して、前記少なくとも1つのPDUを受信するように動作可能であり、前記少なくとも1つのPDUに、前記第2基地局のための、適切にフォーマットされたシグナリングメッセージ（例えば、RRC接続要求メッセージ）を含むことにより、前記他のユーザー通信装置は、前記第2基地局とのRRC接続の確立を開始するように動作可能である付記１４に記載の中継ユーザー通信装置。
【０２０８】
（付記16）
前記通信手段は、前記第1インターフェイスを介して、前記少なくとも1つのPDUを受信するように動作可能であり、前記少なくとも1つのPDUに、前記第2基地局のための、適切にフォーマットされたシグナリングメッセージ（例えば、NASシグナリングメッセージ）を含むことにより、前記他のユーザー通信装置は、モビリティマネジメントエンティティ（MME）とのNAS接続の確立を開始するように動作可能である付記14または15に記載の中継ユーザー通信装置。
【０２０９】
（付記17）
ロングタームエボリューション（LTE）規格に対応するユーザー装置を含む付記1〜16のいずれかに記載の中継ユーザー通信装置。
【０２１０】
（付記18）
第1の基地局と第2基地局とから構成される通信ネットワーク内の中継通信リンクを介して通信するユーザー通信装置であって、前記ユーザー通信装置は、
前記中継ユーザー通信装置を介して、第1の基地局と接続する他のユーザー通信装置を前記第2基地局と通信する手段を備え、前記第2基地局は、前記中継ユーザー通信装置から離れており、
前記通信手段は、以下を動作可能である、
i)前記第1インターフェイスを介して前記中継ユーザー通信装置と通信;
ii)前記第1インターフェイスを介して、前記中継ユーザー通信装置に、前記第2基地局との通信リンクの提供を開始するためのメッセージを送信;
iii)前記中継ユーザー通信装置を介して、前記第2基地局との通信リンクを確立;
iv)中継ユーザー通信装置を介し、確立されたときに、前記通信リンクを介し、前記第2基地局とデータを通信。
【０２１１】
（付記19）
通信リンクの提供を開始するための前記メッセージは、
ユーザー通信装置を前記中継ユーザー通信装置に登録要求;及び、
前記中継ユーザー通信装置を介して前記ユーザー通信装置のための専用ベアラを確立するための要求;
前記中継ユーザー通信装置を介して前記他のユーザー通信装置のために既存のベアラを再利用するための要求;
少なくとも一つを含む付記18に記載のユーザー通信装置。
【０２１２】
（付記20）
前記メッセージは、前記第1インターフェイス（例えば、ProSePDU）に固有のプロトコルデータユニット（PDU）を含む付記18または19に記載のユーザー通信装置。
【０２１３】
（付記21）
前記メッセージは、
前記ユーザー通信装置を識別する情報（例えば、対応するレイヤ2識別子、L2-id）;
他のユーザー通信装置を識別する情報（例えば、対応するL2-id）;
他の前記ユーザー通信装置に固有の1つまたは複数のパラメータ（例えば、グローバルに一意である一時的な識別子（GUTI））;
のうちの少なくとも1つを含む付記18〜20のいずれかに記載の中継ユーザー通信装置。
【０２１４】
（付記22）
前記メッセージが、前記中継ユーザー通信装置が、前記第2基地局と通信するための前記中継ユーザー通信装置に提供するコアネットワークエンティティに、前記ユーザー通信装置のためのベアラを確立するように構成されている付記18から21のいずれかに記載のユーザー通信装置。
【０２１５】
（付記23）
通信リンクの提供を開始するための前記メッセージが、前記中継ユーザー通信装置を介して前記ユーザー通信装置のための専用ベアラを確立するための要求を含む付記18〜22のいずれかに記載のユーザー通信装置。
【０２１６】
（付記24）
前記通信手段は、前記他のユーザー通信装置のための専用ベアラを確立するための前記要求に応答して、前記中継ユーザー通信装置に提供するコアネットワークエンティティ（例えば、パケットデータネットワーク（PDN）ゲートウェイ）のための専用ベアラを確立するように動作可能である付記23に記載のユーザー通信装置。
【０２１７】
（付記25）
前記通信手段は、前記コアネットワークエンティティで確立された専用ベアラを介して前記2の基地局とインターネットプロトコル（IP）接続を確立するように動作可能である付記24に記載のユーザー通信装置。
【０２１８】
（付記26）
前記専用ベアラが拡張パケットシステム（EPS）ベアラを含む付記23〜25のいずれかに記載のユーザー通信装置。
【０２１９】
（付記27）
前記第1インターフェイスは、デバイス間通信（D2D）ベアラを含む付記18〜26のいずれか一項に記載のユーザー通信装置。
【０２２０】
（付記28）
前記通信リンク層は、前記第2基地局とのレイヤ2（L2）リンクで構成される付記18〜27のいずれかに記載のユーザー通信装置。
【０２２１】
（付記29）
前記通信リンクは、前記第2基地局とのパケットデータコンバージェンスプロトコル（PDCP）接続を含む付記18〜28のいずれか一項に記載のユーザー通信装置。
【０２２２】
（付記30）
前記データは、無線リソース制御（RRC）シグナリング、非アクセス層（NAS）シグナル伝達、インターネットプロトコル（IP）シグナリングのうちの少なくとも1つを含む付記18〜29のいずれかに記載の中継ユーザー通信装置。
【０２２３】
（付記31）
前記通信手段は、前記第1インターフェイスを介して、少なくとも1つのプロトコルデータユニット（PDU）で前記データを受信し、前記第１の基地局経由で、前記第2インターフェイスを介して、前記少なくとも1つのPDUは、中継ユーザー通信装置により中継するように動作可能である付記30のいずれかに記載の中継ユーザー通信装置。
【０２２４】
（付記32）
前記通信手段は、前記第1のインターフェイスを介して、前記少なくとも1つのPDUを受信するように動作可能であり、前記少なくとも1つのPDUに、前記第2基地局のための、適切にフォーマットされたシグナリングメッセージ（例えば、RRC接続要求メッセージ）を含むことにより、前記第2基地局とのRRC接続の確立を開始するように動作可能である付記31に記載のユーザー通信装置。
【０２２５】
（付記33）
前記通信手段は、前記少なくとも1つのPDUに、前記第2基地局のための、適切にフォーマットされたシグナリングメッセージ（例えば、NASシグナリングメッセージ）を含むことにより、前記他のユーザー通信装置は、モビリティマネジメントエンティティ（MME）とのNAS接続の確立を開始するように動作可能である付記31または32に記載のユーザー通信装置。
【０２２６】
（付記34）
ロングタームエボリューション（LTE）規格に対応するユーザー装置を含む付記18〜33のいずれかに記載の中継ユーザー通信装置。
【０２２７】
（付記35）
中継ユーザー通信装置と通信するための基地局であって：
前記基地局は、中継ユーザー通信装置経由で、前記中継ユーザー通信装置を介して、前記基地局に接続された中継ユーザー通信装置と通信する手段を備え、
前記通信手段は、以下を動作可能である、
i)第1インターフェイスを介して前記中継ユーザー通信装置と通信;
ii)前記第1インターフェイスを介して、前記中継ユーザー通信装置に、前記中継ユーザー通信装置のための通信リンクの提供を開始するためのメッセージを通信;
iii)前記中継ユーザー通信装置を介して前記ユーザー通信装置に前記中継との通信リンクを確立;
iv)前記中継ユーザー通信装置を介し、確立されたときに、前記通信リンクを介して前記中継ユーザー通信装置とデータを通信する。
【０２２８】
（付記36）
通信リンクの提供を開始するための前記メッセージは、
前記中継ユーザー通信装置を介して前記中継ユーザー通信装置のための専用ベアラを確立するための要求;
前記中継ユーザー通信装置を介して前記他のユーザー通信装置のために既存のベアラを再利用するための要求;
少なくとも一つを含む付記35に記載の基地局装置。
【０２２９】
（付記37）
前記通信手段は、前記中継ユーザー通信装置を介して、インターネットプロトコル（IP）接続を確立するように動作可能である付記35に記載の基地局装置。
【０２３０】
（付記38）
前記通信リンクが、前記中継ユーザー通信装置とのレイヤ2（L2）リンクを含む付記35〜37のいずれかに記載の基地局。
【０２３１】
（付記39）
前記通信リンクは、前記中継ユーザー通信装置とのパケットデータコンバージェンスプロトコル（PDCP）接続で構成される付記35〜38のいずれかに記載の基地局。
【０２３２】
（付記40）
前記データは、無線リソース制御、RRCシグナリング、非アクセス層、NAS、シグナル伝達、インターネットプロトコル、IPシグナリングのうちの少なくとも1つで通信する前記35〜39のいずれかに記載の基地局。
【０２３３】
（付記41）
前記通信手段は、前記第1のインターフェイスを介して、少なくとも1つのプロトコルデータユニット（PDU）で前記中継ユーザー通信装置と前記データを通信し、前記少なくとも1つのPDUは、前記第2のインターフェイス（例えば、デバイス間通信（D2D）インターフェイス）を介して、前記中継ユーザー通信装置により中継されるように動作可能である付記1〜13のいずれかに記載の中継ユーザー通信装置。
【０２３４】
（付記42）
前記通信手段は、前記第1のインターフェイスを介して、前記中継ユーザー通信装置から前記少なくとも1つのPDUを受信するように動作可能であり、前記通信手段は、前記中継ユーザー通信装置から受信した前記少なくとも1つのPDUに含まれる、適切にフォーマットされたシグナリングメッセージ（例えば、RRC接続要求メッセージ）に従って、前記中継ユーザー通信装置経由で、前記中継ユーザー通信装置とのRRC接続の確立を開始するように動作可能である付記41に記載の基地局。
【０２３５】
（付記43）
前記通信手段は、前記中継ユーザー通信装置から、前記少なくとも1つのPDUを受信するように動作可能であり、前記通信手段は、
前記少なくとも1つのPDUに含まれた、前記中継ユーザー通信装置からの、適切にフォーマットされたシグナリングメッセージ（例えば、NASシグナリングメッセージ）に基づいて、モビリティマネジメントエンティティ（MME）とのNAS接続の確立を開始するように動作可能である付記41または42に記載の基地局。
【０２３６】
（付記44）
前記通信手段は、前記第1のインターフェイスを介して、前記少なくとも1つのPDUを受信するように動作可能であり、前記少なくとも1つのPDUに、前記第2基地局のための、適切にフォーマットされたシグナリングメッセージ（例えば、NASシグナリングメッセージ）を含むことにより、前記他のユーザー通信装置は、モビリティマネジメントエンティティ（MME）とのNAS接続の確立を開始するように動作可能であり、
前記中継ユーザー通信装置からの、前記少なくとも1つのPDU内の、コントロールプレーンシグナリング（例えば、NASシグナリング）を検出する手段を備え、
前記通信手段は、前記コントロールプレーンシグナリングを、前記少なくとも一つのPDUに前記コントロールプレーンシグナリングを検出する前記検出手段からコアネットワークエンティティ（例えば、モバイル管理エンティティ、MME）に転送するように動作可能である42または43に記載の基地局。
【０２３７】
（付記45）
前記基地局が、前記中継ユーザー通信装置に関連付けられたネットワーク内に提供される付記35から44のいずれかに記載の基地局。
【０２３８】
（付記46）
基地局は、前記中継ユーザー通信装置に関連付けられた前記ネットワークのコアネットワーク部分に設けられている付記45に記載の基地局。
【０２３９】
（付記47）
前記第2基地局の機能の一部を実現するように構成された付記35〜46のいずれかに記載の基地局。
【０２４０】
（付記48）
ロングタームエボリューション（LTE）に対応するネットワークノード（例えば、eNB）を備える付記35〜47のいずれかに記載の基地局。
【０２４１】
（付記49）
付記1〜17のいずれかに記載の中継ユーザー通信装置、付記18〜34のいずれかに記載のユーザー通信装置、及び付記35〜48のいずれかに記載の基地局を備えるシステム。
【０２４２】
（付記50）
他のユーザー通信装置との通信リンクの提供を促進するための中継ユーザー通信装置であって、前記中継通信装置は、
他のユーザー通信装置及び第1の基地局と通信する送信回路を備え、
前記送信回路は、以下を動作可能である、
i)第1のインターフェイスを介して前記他の通信装置と通信;
ii)第2のインターフェイスを介して前記第1の基地局と通信;
iii)前記第1のインターフェイスを介して、通信リンクの提供を開始するためのメッセージを通信;
iv)前記第1インターフェイスおよび第2のインターフェイスを介して、前記他のユーザー通信装置からの通信リンクを前記確立するためのメッセージに応じて、第2の基地局にコアネットワークと通信し、前記第2の基地局は、前記中継ユーザー通信装置から離れている;
v)前記通信リンクを使用し、確立されたときに、前記第1のインターフェイス及び前記第2のインターフェイスを介して前記他のユーザー通信装置にデータを中継。
【０２４３】
（付記51）
第1の基地局と第2の基地局とから構成される通信ネットワーク内の中継通信リンクを介して通信するユーザー通信装置であって、前記ユーザー通信装置は、
前記中継ユーザー通信装置を介して、第1の基地局と接続する他のユーザー通信装置を前記第2の基地局と通信する手段を備え、前記第2の基地局は、前記中継ユーザー通信装置から離れており、
前記手段は、以下を動作可能である、
i)前記第1インターフェイスを介して前記中継ユーザー通信装置と通信;
ii)前記第1インターフェイスを介して、前記中継ユーザー通信装置に、前記第2の基地局との通信リンクの提供を開始するためのメッセージを送信;
iii)前記中継ユーザー通信装置を介して、前記第２の基地局との通信リンクを確立;
iv)中継ユーザー通信装置を介し、確立されたときに、前記通信リンクを介し、前記第2の基地局とデータを通信。
【０２４４】
（付記52）
中継ユーザー通信装置と通信するための基地局であって：
前記基地局は、中継ユーザー通信装置経由で、前記中継ユーザー通信装置を介して、前記基地局に接続された中継ユーザー通信装置と通信する送信回路を備え、
前記送信回路は、以下を動作可能である、
i)第1インターフェイスを介して前記中継ユーザー通信装置と通信;
ii)前記第1インターフェイスを介して、前記中継ユーザー通信装置に、前記中継ユーザー通信装置のための通信リンクの提供を開始するためのメッセージを通信;
iii)前記中継ユーザー通信装置を介して前記ユーザー通信装置に前記中継との通信リンクを確立;
iv)前記中継ユーザー通信装置を介し、確立されたときに、前記通信リンクを介して前記中継ユーザー通信装置とデータを通信する。
【０２４５】
（付記53）
他のユーザー通信装置との通信リンクの提供を促進するための中継ユーザー通信装置より実行される方法であって、前記中継通信装置は、
他のユーザー通信装置及び第1の基地局との通信手段を備え、
前記方法は、
第1のインターフェイスを介して前記他の通信装置と通信し、
第2のインターフェイスを介して前記第1の基地局と通信し、
前記第1のインターフェイスを介して、通信リンクの提供を開始するためのメッセージを通信し、
前記第1インターフェイスおよび第2のインターフェイスを介して、前記他のユーザー通信装置からの通信リンクを前記確立するためのメッセージに応じて、第2の基地局にコアネットワークと通信し、前記第2の基地局は、前記中継ユーザー通信装置から離れており、
前記通信リンクを使用し、確立されたときに、前記第1のインターフェイス及び前記第2のインターフェイスを介して前記他のユーザー通信装置にデータを中継する。
【０２４６】
（付記54）
第1の基地局と第2の基地局とから構成される通信ネットワーク内の中継通信リンクを介して通信するユーザー通信装置により実行させる方法であって、前記ユーザー通信装置は、
前記中継ユーザー通信装置を介して、第1の基地局と接続する他のユーザー通信装置を前記第2の基地局と通信する手段を備え、前記第2の基地局は、前記中継ユーザー通信装置から離れており、
前記方法は、
前記第1インターフェイスを介して前記中継ユーザー通信装置と通信し、
前記第1インターフェイスを介して、前記中継ユーザー通信装置に、前記第2の基地局との通信リンクの提供を開始するためのメッセージを送信し、
前記中継ユーザー通信装置を介して、前記第２の基地局との通信リンクを確立し、
中継ユーザー通信装置を介し、確立されたときに、前記通信リンクを介し、前記第2の基地局とデータを通信する。
【０２４７】
（付記55）
中継ユーザー通信装置と通信するための基地局により実行される方法であって、
前記基地局は、中継ユーザー通信装置経由で、前記中継ユーザー通信装置を介して、前記基地局に接続された中継ユーザー通信装置と通信する手段を備え、
前記方法は、
第1インターフェイスを介して前記中継ユーザー通信装置と通信し、
前記第1インターフェイスを介して、前記中継ユーザー通信装置に、前記中継ユーザー通信装置のための通信リンクの提供を開始するためのメッセージを通信し、
前記中継ユーザー通信装置を介して前記ユーザー通信装置に前記中継との通信リンクを確立し、
前記中継ユーザー通信装置を介し、確立されたときに、前記通信リンクを介して前記中継ユーザー通信装置とデータを通信する。
【０２４８】
（付記56）
付記53から55のいずれかの方法をプログラム可能な通信装置に実行させるようにコンピュータ実施可能命令で構成されるプログラムを記憶する非一時的コンピュータ可読媒体。
【０２４９】
このアプリケーションは、2014年2月19日に出願された英国特許出願番号1402954.0に基づいており、その優先権主張するものであり、その全体を参照することにより開示が本明細書に組み込まれている。
【符号の説明】
【０２５０】
3,3R  ユーザー通信装置
5,5R  基地局
9,9R  コアネットワーク
10、10R  NETWORK
11  MME
13  S-GW
14  P-GW
15  IP PDN
31  送信回路
33  アンテナ
35  ユーザーインターフェイス
37  コントローラ
39  メモリ
41,61  オペレーティングシステム
42,63  通信制御モジュール
43  デバイス間通信（D2D）モジュール
44  RELAY-クライアント
45  RELAY-サーバーモジュール
46  NASモジュール
47,67  RRCモジュール
48,68  IPモジュール
49,69  PDCPモジュール
65  ReNB-サーバーモジュール
【図１】
2020162157.tif 000003
【図２】
2020162157.tif 000004
【図３】
2020162157.tif 000005
【図４】
2020162157.tif 000006
【図５】
2020162157.tif 000007
【図６】
2020162157.tif 000008
【図７】
2020162157.tif 000009
【図８】
2020162157.tif 000010
【図９】
2020162157.tif 000011
【図１０】
2020162157.tif 000012
【図１１】
2020162157.tif 000013
【図１２】
2020162157.tif 000014
【図１３】
2020162157.tif 000015
【図１４】
2020162157.tif 000016
【図１５】
2020162157.tif 000017
【図１６】
2020162157.tif 000018